(57)【特許請求の範囲】
【請求項１】
ユーザ機器(UE)に割り振られるべき、セルのコンポーネントキャリアの1つまたは複数の帯域幅パートを特定するステップと、
前記1つまたは複数の帯域幅パートの各々のための、第2の無線アクセス技術(RAT)のサウンディング基準信号(SRS)帯域幅構成を特定するステップであって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、ステップと、
前記SRS帯域幅構成を前記UEへ送信するステップとを含む方法。
【請求項２】
前記セルの前記コンポーネントキャリアは複数の帯域幅パートを含む、請求項1に記載の方法。
【請求項３】
前記複数の帯域幅値の各々は、物理リソースブロック(PRB)の数を示す、請求項1に記載の方法。
【請求項４】
前記整数は2、4、または8である、請求項1に記載の方法。
【請求項５】
前記第1のRATはロングタームエボリューション(LTE)であり、前記第2のRATはニューラジオ(NR)である、請求項1に記載の方法。
【請求項６】
前記セルの前記コンポーネントキャリアの帯域幅パートの帯域幅または前記セルの前記コンポーネントキャリアの帯域幅パートの数に少なくとも部分的に基づいて、前記複数の帯域幅値のうちの第1の帯域幅値を特定するステップをさらに含む、請求項1に記載の方法。
【請求項７】
前記第2の帯域幅値は、前記セルの前記コンポーネントキャリアの前記帯域幅パートに利用可能なRBの最大数を示す、請求項6に記載の方法。
【請求項８】
前記第1の帯域幅値に少なくとも部分的に基づいて、前記複数の帯域幅値のうちの第2の帯域幅値を特定するステップをさらに含む、請求項6に記載の方法。
【請求項９】
前記第2の帯域幅値は、前記第1の帯域幅値の整数の倍数または累乗である、請求項8に記載の方法。
【請求項１０】
前記第1の帯域幅値は、前記第2の帯域幅値の半分である、請求項8に記載の方法。
【請求項１１】
前記第2の帯域幅値は、前記複数の帯域幅値のうちの第3および第4の帯域幅値の和に等しい、請求項8に記載の方法。
【請求項１２】
前記第3および前記第4の帯域幅値は、第1のRATの帯域幅値である、請求項11に記載の方法。
【請求項１３】
前記第3および前記第4の帯域幅値は異なる、請求項11に記載の方法。
【請求項１４】
前記1つまたは複数の帯域幅パートに関連付けられた帯域幅オフセット値を特定するステップをさらに含む、請求項1に記載の方法。
【請求項１５】
前記帯域幅オフセット値を前記UEへ送信するステップをさらに含む、請求項14に記載の方法。
【請求項１６】
前記帯域幅オフセット値は、前記セルの前記コンポーネントキャリアの別の帯域幅パートに少なくとも部分的に基づく、請求項14に記載の方法。
【請求項１７】
命令を記憶するメモリと、
前記メモリと結合されたプロセッサとを備える装置であって、前記プロセッサは、前記命令を実行して、
ユーザ機器(UE)に割り振られるべき、セルのコンポーネントキャリアの1つまたは複数の帯域幅パートを特定することと、
前記1つまたは複数の帯域幅パートの各々のための、第2の無線アクセス技術(RAT)のサウンディング基準信号(SRS)帯域幅構成を特定することであって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、ことと、
前記SRS帯域幅構成を前記UEへ送信することとをするように構成される、装置。
【請求項１８】
ユーザ機器(UE)に割り振られるべき、セルのコンポーネントキャリアの1つまたは複数の帯域幅パートを特定するための手段と、
前記1つまたは複数の帯域幅パートの各々のための、第2の無線アクセス技術(RAT)のサウンディング基準信号(SRS)帯域幅構成を特定するための手段であって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、手段と、
前記SRS帯域幅構成を前記UEへ送信するための手段とを備える装置。
【請求項１９】
プロセッサによって実行可能な命令を記憶するコンピュータ可読記憶媒体であって、
ユーザ機器(UE)に割り振られるべき、セルのコンポーネントキャリアの1つまたは複数の帯域幅パートを特定するための命令と、
前記1つまたは複数の帯域幅パートの各々のための、第2の無線アクセス技術(RAT)のサウンディング基準信号(SRS)帯域幅構成を特定するための命令であって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、命令と、
前記SRS帯域幅構成を前記UEへ送信するための命令とを含む、コンピュータ可読記憶媒体。
【請求項２０】
ユーザ機器(UE)に割り振られた、セルのコンポーネントキャリアの1つまたは複数の帯域幅パートを受信するステップと、
前記1つまたは複数の帯域幅パートの各々のための、第2の無線アクセス技術(RAT)のサウンディング基準信号(SRS)帯域幅構成を受信するステップであって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、ステップと、
前記SRS帯域幅構成に少なくとも部分的に基づいて、SRSを送信するステップとを含む方法。
【請求項２１】
命令を記憶するメモリと、
前記メモリと結合されたプロセッサとを備える装置であって、前記プロセッサは、前記命令を実行して、
ユーザ機器(UE)に割り振られた、セルのコンポーネントキャリアの1つまたは複数の帯域幅パートを受信することと、
前記1つまたは複数の帯域幅パートの各々のための、第2の無線アクセス技術(RAT)のサウンディング基準信号(SRS)帯域幅構成を受信することであって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、ことと、
前記SRS帯域幅構成に少なくとも部分的に基づいて、SRSを送信することとをするように構成される、装置。
【請求項２２】
ユーザ機器(UE)に割り振られた、セルのコンポーネントキャリアの1つまたは複数の帯域幅パートを受信するための手段と、
前記1つまたは複数の帯域幅パートの各々のための、第2の無線アクセス技術(RAT)のサウンディング基準信号(SRS)帯域幅構成を受信するための手段であって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、手段と、
前記SRS帯域幅構成に少なくとも部分的に基づいて、SRSを送信するための手段とを備える装置。
【請求項２３】
プロセッサによって実行可能な命令を記憶するコンピュータ可読記憶媒体であって、
ユーザ機器(UE)に割り振られた、セルのコンポーネントキャリアの1つまたは複数の帯域幅パートを受信するための命令と、
前記1つまたは複数の帯域幅パートの各々のための、第2の無線アクセス技術(RAT)のサウンディング基準信号(SRS)帯域幅構成を受信するための命令であって、前記1つまたは複数の帯域幅パートの各々に対応する前記SRS帯域幅構成は複数の帯域幅値を含み、前記複数の帯域幅値はある整数の倍数または累乗であり、前記複数の帯域幅値は、第1のRATおよび前記第2のRATによってサポートされる複数の第1の帯域幅値と、前記第2のRATによってサポートされ、前記第1のRATによってサポートされない複数の第2の帯域幅値とを含む、命令と、
前記SRS帯域幅構成に少なくとも部分的に基づいて、SRSを送信するための命令とを含む、コンピュータ可読記憶媒体。
【発明の詳細な説明】
【技術分野】
【０００１】
関連出願の相互参照
本出願は、2018年6月12日に出願された、「TECHNIQUES AND APPARATUSES FOR MANAGING SOUNDING REFERENCE SIGNAL (SRS) TRANSMISSIONS IN A BANDWIDTH PART」と題する米国特許出願第16/005,796号、および2017年8月11日に出願された「TECHNIQUES AND APPARATUSES FOR MANAGING SOUNDING REFERENCE SIGNAL (SRS) TRANSMISSIONS IN A BANDWIDTH PART」と題するギリシャ特許出願第20170100375号の利益を主張する。前述の出願は、その全体が参照により本明細書に明確に組み込まれる。
【０００２】
本開示の態様は、概してワイヤレス通信に関し、より詳細には、帯域幅パートにおけるサウンディング基準信号(SRS)送信を管理するための技法および装置に関する。
【背景技術】
【０００３】
ワイヤレス通信システムは、電話、ビデオ、データ、メッセージング、およびブロードキャストなど、様々な電気通信サービスを提供するために広く展開されている。ワイヤレス通信システムは、利用可能なシステムリソース(たとえば、帯域幅、送信電力など)を共有することによって複数のユーザとの通信をサポートすることができる多元接続技術を利用する場合がある。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、およびロングタームエボリューション(LTE)を含む。LTE/LTEアドバンストは、第3世代パートナーシッププロジェクト(3GPP)によって公表されたユニバーサルモバイルテレコミュニケーションズシステム(UMTS)モバイル規格に対する拡張のセットである。
【０００４】
ワイヤレス通信ネットワークは、いくつかのユーザ機器(UE)のための通信をサポートできるいくつかの基地局(BS)を含んでよい。ユーザ機器(UE)は、ダウンリンクおよびアップリンクを介して基地局(BS)と通信し得る。ダウンリンク(または、順方向リンク)とは、BSからUEへの通信リンクを指し、アップリンク(または、逆方向リンク)とは、UEからBSへの通信リンクを指す。本明細書により詳細に記載するように、BSは、ノードB、gNB、アクセスポイント(AP)、無線ヘッド、送信受信ポイント(TRP)、ニューラジオ(NR)BS、5GノードBなどと呼ばれる場合がある。
【０００５】
上記の多元接続技術は、異なるユーザ機器が都市、国家、地域、さらには地球規模で通信することを可能にする共通プロトコルを提供するために、様々な電気通信規格において採用されている。ニューラジオ(NR)は、5Gと呼ばれることもあり、第3世代パートナーシッププロジェクト(3GPP)によって公表されたLTEモバイル規格に対する拡張のセットである。NRは、スペクトル効率を改善することと、コストを下げることと、サービスを改善することと、新しいスペクトルを利用することと、ダウンリンク(DL)上でサイクリックプレフィックス(CP)を有する直交周波数分割多重化(OFDM)(CP-OFDM)を使用し、アップリンク(UL)上でCP-OFDMおよび/またはSC-FDM(たとえば、離散フーリエ変換拡散OFDM(DFT-s-OFDM)としても知られている)を使用し、ならびにビームフォーミング、多入力多出力(MIMO)アンテナ技術、およびキャリアアグリゲーションをサポートする他のオープン規格とより良く統合することとによって、モバイルブロードバンドインターネットアクセスをより良くサポートするように設計されている。しかしながら、モバイルブロードバンドアクセスに対する需要が増大し続けるにつれて、LTE技術およびNR技術におけるさらなる改善が必要である。好ましくは、これらの改善は、他の多元接続技術、およびこれらの技術を利用する電気通信規格に適用可能であるべきである。
【発明の概要】
【課題を解決するための手段】
【０００６】
いくつかの態様において、ワイヤレス通信のための方法は、ユーザ機器(UE)に割り振られるべき、セルのコンポーネントキャリアの1つまたは複数の帯域幅パートを特定するステップと、1つまたは複数の帯域幅パートの各々のためのサウンディング基準信号(SRS)帯域幅構成を特定するステップと、SRS帯域幅構成をUEへ送信するステップとを含み得る。たとえば、セルのコンポーネントキャリアは、複数の帯域幅パートを含み得る。SRS帯域幅構成は、UEによるSRS送信のための複数の帯域幅値を含み得る。複数の帯域幅値の各々は、物理リソースブロック(PRB)の数を示し得る。
【０００７】
いくつかの態様において、複数の帯域幅値の少なくとも1つのセットは、互いの整数の倍数である。ある例では、整数は2、4または8であってよい。他の態様では、複数の帯域幅値の少なくとも1つのセットは、第1の無線アクセス技術(RAT)の第1の帯域幅値および第2の無線アクセス技術(RAT)の第2の帯域幅値を含む。たとえば、第1のRATはロングタームエボリューション(LTE)であってよく、第2のRATはニューラジオ(NR)であってよい。
【０００８】
いくつかの態様において、ワイヤレス通信方法は、セルのコンポーネントキャリアの帯域幅パートの帯域幅またはセルのコンポーネントキャリアの帯域幅パートの数に少なくとも部分的に基づいて、複数の帯域幅値のうちの第1の帯域幅値を特定するステップをさらに含み得る。たとえば、第1の帯域幅値は、セルのコンポーネントキャリアの帯域幅パートに利用可能なRBの最大数を示し得る。
【０００９】
いくつかの態様において、ワイヤレス通信のための方法は、第1の帯域幅値に少なくとも部分的に基づいて、複数の帯域幅値のうちの第2の帯域幅値を特定するステップをさらに含み得る。たとえば、第1の帯域幅値は、第2の帯域幅値の整数の倍数または累乗である。ある例では、第2の帯域幅値は第1の帯域幅値の半分である。別の例では、第2の帯域幅値は、複数の帯域幅値のうちの第3および第4の帯域幅値の和に等しくてよい。ある例では、第2の帯域幅値は第1のRATの帯域幅値であってよく、第3および第4の帯域幅値は第2のRATからの帯域幅値であってよい。ある例では、第3および第4の帯域幅値は異なる。
【００１０】
いくつかの態様において、ワイヤレス通信のための方法は、帯域幅パートに関連付けられた帯域幅オフセット値を特定するステップを含み得る。別の態様では、ワイヤレス通信のための方法は、帯域幅オフセット値をUEへ送信するステップを含み得る。たとえば、帯域幅オフセット値は、セルのコンポーネントキャリアの別の帯域幅パートに少なくとも部分的に基づく。
【００１１】
いくつかの態様において、ワイヤレス通信のための装置は、命令を記憶するメモリと、メモリと通信するプロセッサとを含むことができ、プロセッサは、命令を実行して、ユーザ機器(UE)に割り振られるべき、セルのコンポーネントキャリアの1つまたは複数の帯域幅パートを特定することと、1つまたは複数の帯域幅パートの各々のためのサウンディング基準信号(SRS)帯域幅構成を特定することと、SRS帯域幅構成をUEへ送信するすることとをするように構成される。たとえば、セルのコンポーネントキャリアは、複数の帯域幅パートを含み得る。SRS帯域幅構成は、UEによるSRS送信のための複数の帯域幅値を含み得る。ある例では、複数の帯域幅値の各々は、物理リソースブロック(PRB)の数を示し得る。
【００１２】
いくつかの態様において、複数の帯域幅値の少なくとも1つのセットは、互いの整数の倍数であってよい。ある例では、整数は2、4または8であってよい。たとえば、複数の帯域幅値の少なくとも1つのセットは、第1の無線アクセス技術(RAT)の第1の帯域幅値および第2の無線アクセス技術(RAT)の第2の帯域幅値を含み得る。ある例では、第1のRATはロングタームエボリューション(LTE)であってよく、第2のRATはニューラジオ(NR)であってよい。
【００１３】
いくつかの態様では、ワイヤレス通信のための装置のプロセッサは、セルのコンポーネントキャリアの帯域幅パートの帯域幅またはセルのコンポーネントキャリアの帯域幅パートの数に少なくとも部分的に基づいて、複数の帯域幅値のうちの第1の帯域幅値を特定するための命令を実行するようにさらに構成され得る。たとえば、第1の帯域幅値は、セルのコンポーネントキャリアの帯域幅パートに利用可能なRBの最大数を示し得る。
【００１４】
ある態様では、プロセッサは、第1の帯域幅値に少なくとも部分的に基づいて、複数の帯域幅値のうちの第2の帯域幅値を特定するための命令を実行するようにさらに構成される。たとえば、第1の帯域幅値は、第2の帯域幅値の整数の倍数または累乗である。第2の帯域幅値は、第1の帯域幅値の半分である。ある例では、第2の帯域幅値は、複数の帯域幅値のうちの第3および第4の帯域幅値の和に等しくてよい。第2の帯域幅値は第1のRATの帯域幅値であってよく、第3および第4の帯域幅値は第2のRATからの帯域幅値であってよい。たとえば、第3および第4の帯域幅値は異なってよい。
【００１５】
いくつかの態様において、プロセッサは、帯域幅パートに関連付けられた帯域幅オフセット値を特定するための命令を実行するようにさらに構成される。他の態様では、プロセッサは、帯域幅オフセット値をUEへ送信するための命令を実行するようにさらに構成される。たとえば、帯域幅オフセット値は、セルのコンポーネントキャリアの別の帯域幅パートに少なくとも部分的に基づき得る。
【００１６】
いくつかの態様において、ワイヤレス通信のための装置は、ユーザ機器(UE)に割り振られるべき、セルのコンポーネントキャリアの1つまたは複数の帯域幅パートを特定するための手段と、1つまたは複数の帯域幅パートの各々のためのサウンディング基準信号(SRS)帯域幅構成を特定するための手段と、SRS帯域幅構成をUEへ送信するための手段とを含み得る。たとえば、セルのコンポーネントキャリアは複数の帯域幅パートを含む。ある例では、SRS帯域幅構成は、UEによるSRS送信のための複数の帯域幅値を含み得る。複数の帯域幅値の各々は、物理リソースブロック(PRB)の数を示し得る。
【００１７】
いくつかの態様において、複数の帯域幅値の少なくとも1つのセットは、互いの整数の倍数であってよい。ある例では、整数は2、4または8であってよい。複数の帯域幅値の少なくとも1つのセットは、第1の無線アクセス技術(RAT)の第1の帯域幅値および第2の無線アクセス技術(RAT)の第2の帯域幅値を含む。たとえば、第1のRATはロングタームエボリューション(LTE)であってよく、第2のRATはニューラジオ(NR)であってよい。
【００１８】
いくつかの態様において、ワイヤレス通信のための装置は、セルのコンポーネントキャリアの帯域幅パートの帯域幅またはセルのコンポーネントキャリアの帯域幅パートの数に少なくとも部分的に基づいて、複数の帯域幅値のうちの第1の帯域幅値を特定するための手段をさらに含み得る。たとえば、第1の帯域幅値は、セルのコンポーネントキャリアの帯域幅パートに利用可能なRBの最大数を示し得る。別の態様では、ワイヤレス通信のための装置は、第1の帯域幅値に少なくとも部分的に基づいて、複数の帯域幅値のうちの第2の帯域幅値を特定するための手段をさらに含み得る。たとえば、第1の帯域幅値は、第2の帯域幅値の整数の倍数または累乗であってよい。ある例では、第2の帯域幅値は、第1の帯域幅値の半分であり得る。
【００１９】
いくつかの態様において、第2の帯域幅値は、複数の帯域幅値のうちの第3および第4の帯域幅値の和に等しくてよい。たとえば、第2の帯域幅値は第1のRATの帯域幅値であってよく、第3および第4の帯域幅値は、第2のRATからの帯域幅値である。ある例では、第3および第4の帯域幅値は異なってよい。
【００２０】
いくつかの態様において、ワイヤレス通信のための装置は、帯域幅パートに関連付けられた帯域幅オフセット値を特定するための手段をさらに含み得る。ワイヤレス通信のための装置は、帯域幅オフセット値をUEへ送信するための手段をさらに含み得る。たとえば、帯域幅オフセット値は、セルのコンポーネントキャリアの別の帯域幅パートに少なくとも部分的に基づき得る。
【００２１】
いくつかの態様において、プロセッサによって実行可能な、ワイヤレス通信のための命令を記憶するための非一時的コンピュータ可読媒体は、ユーザ機器(UE)に割り振られるべき、セルのコンポーネントキャリアの1つまたは複数の帯域幅パートを特定するための命令と、1つまたは複数の帯域幅パートの各々のためのサウンディング基準信号(SRS)帯域幅構成を特定するための命令と、SRS帯域幅構成をUEへ送信するための命令とを含み得る。たとえば、セルのコンポーネントキャリアは複数の帯域幅パートを含む。たとえば、SRS帯域幅構成は、UEによるSRS送信のための複数の帯域幅値を含み得る。ある例では、複数の帯域幅値の各々は、物理リソースブロック(PRB)の数を示し得る。
【００２２】
いくつかの態様において、複数の帯域幅値の少なくとも1つのセットは、互いの整数の倍数であってよい。ある例では、整数は2、4または8であってよい。ある態様では、複数の帯域幅値の少なくとも1つのセットは、第1の無線アクセス技術(RAT)の第1の帯域幅値および第2の無線アクセス技術(RAT)の第2の帯域幅値を含む。ある例では、第1のRATはロングタームエボリューション(LTE)であってよく、第2のRATはニューラジオ(NR)であってよい。
【００２３】
いくつかの態様において、非一時的コンピュータ可読媒体は、セルのコンポーネントキャリアの帯域幅パートの帯域幅またはセルのコンポーネントキャリアの帯域幅パートの数に少なくとも部分的に基づいて、複数の帯域幅値のうちの第1の帯域幅値を特定するための命令をさらに含み得る。たとえば、第1の帯域幅値は、セルのコンポーネントキャリアの帯域幅パートに利用可能なRBの最大数を示し得る。非一時的コンピュータ可読媒体は、第1の帯域幅値に少なくとも部分的に基づいて、複数の帯域幅値のうちの第2の帯域幅値を特定するための命令をさらに含み得る。たとえば、第1の帯域幅値は、第2の帯域幅値の整数の倍数または累乗であってよい。ある例では、第2の帯域幅値は、第1の帯域幅値の半分であり得る。第2の帯域幅値は、複数の帯域幅値のうちの第3および第4の帯域幅値の和に等しくてよい。ある例では、第2の帯域幅値は第1のRATの帯域幅値であってよく、第3および第4の帯域幅値は第2のRATからの帯域幅値であってよい。第3および第4の帯域幅値は異なってよい。
【００２４】
いくつかの態様において、非一時的コンピュータ可読媒体は、帯域幅パートに関連付けられた帯域幅オフセット値を特定するための命令をさらに含み得る。非一時的コンピュータ可読媒体は、帯域幅オフセット値をUEへ送信するための命令をさらに含み得る。たとえば、帯域幅オフセット値は、セルのコンポーネントキャリアの別の帯域幅パートに少なくとも部分的に基づき得る。
【００２５】
いくつかの態様において、ユーザ機器によるワイヤレス通信のための方法は、ユーザ機器(UE)に割り振られた、セルのコンポーネントキャリアの1つまたは複数の帯域幅パートを特定するステップと、1つまたは複数の帯域幅パートの各々のためのサウンディング基準信号(SRS)帯域幅構成を受信するステップと、SRS帯域幅構成に少なくとも部分的に基づいて、SRSを送信するステップとを含み得る。たとえば、セルのコンポーネントキャリアは、複数の帯域幅パートを含み得る。ある例では、SRS帯域幅構成は、UEによるSRS送信のための複数の帯域幅値を含み得る。たとえば、複数の帯域幅値の各々は、物理リソースブロック(PRB)の数を示し得る。
【００２６】
いくつかの態様において、複数の帯域幅値の少なくとも1つのセットは、互いの整数の倍数である。ある例では、整数は2、4または8であってよい。他の態様では、複数の帯域幅値の少なくとも1つのセットは、第1の無線アクセス技術(RAT)の第1の帯域幅値および第2の無線アクセス技術(RAT)の第2の帯域幅値を含む。たとえば、第1のRATはロングタームエボリューション(LTE)であってよく、第2のRATはニューラジオ(NR)であってよい。
【００２７】
いくつかの態様において、複数の帯域幅値は、セルのコンポーネントキャリアの帯域幅パートの帯域幅またはセルのコンポーネントキャリアの帯域幅パートの数に少なくとも部分的に基づいて特定される第1の帯域幅値を含み得る。たとえば、第1の帯域幅値は、セルのコンポーネントキャリアの帯域幅パートに利用可能なRBの最大数を示し得る。他の態様では、複数の帯域幅値は、第1の帯域幅値に少なくとも部分的に基づいて特定される第2の帯域幅値を含み得る。たとえば、第1の帯域幅値は、第2の帯域幅値の整数の倍数または累乗であってよい。ある例では、第2の帯域幅値は、第1の帯域幅値の半分であり得る。ある態様では、第2の帯域幅値は、複数の帯域幅値のうちの第3および第4の帯域幅値の和に等しくてよい。たとえば、第2の帯域幅値は第1のRATの帯域幅値であってよく、第3および第4の帯域幅値は、第2のRATからの帯域幅値である。第3および第4の帯域幅値は異なってよい。
【００２８】
いくつかの態様において、UEによるワイヤレス通信のための方法は、帯域幅パートに関連付けられた帯域幅オフセット値を受信するステップをさらに含み得る。また、SRSを送信することは、帯域幅オフセット値に少なくとも部分的に基づいてSRSを送信することを含み得る。たとえば、帯域幅オフセット値は、セルのコンポーネントキャリアの別の帯域幅パートに少なくとも部分的に基づき得る。
【００２９】
いくつかの態様において、ワイヤレス通信のためのユーザ機器装置は、命令を記憶するメモリと、メモリと通信するプロセッサとを含むことができ、プロセッサは、命令を実行して、ユーザ機器(UE)に割り振られた、セルのコンポーネントキャリアの1つまたは複数の帯域幅パートを特定することと、1つまたは複数の帯域幅パートの各々のためのサウンディング基準信号(SRS)帯域幅構成を受信することと、SRS帯域幅構成に少なくとも部分的に基づいて、SRSを送信するすることとをするように構成される。たとえば、セルのコンポーネントキャリアは複数の帯域幅パートを含む。SRS帯域幅構成は、UEによるSRS送信のための複数の帯域幅値を含み得る。ある例では、複数の帯域幅値の各々は、物理リソースブロック(PRB)の数を示す。
【００３０】
いくつかの態様において、複数の帯域幅値の少なくとも1つのセットは、互いの整数の倍数である。ある例では、整数は2、4または8であってよい。たとえば、複数の帯域幅値の少なくとも1つのセットは、第1の無線アクセス技術(RAT)の第1の帯域幅値および第2の無線アクセス技術(RAT)の第2の帯域幅値を含む。ある例では、第1のRATはロングタームエボリューション(LTE)であってよく、第2のRATはニューラジオ(NR)であってよい。
【００３１】
いくつかの態様において、複数の帯域幅値は、セルのコンポーネントキャリアの帯域幅パートの帯域幅またはセルのコンポーネントキャリアの帯域幅パートの数に少なくとも部分的に基づいて特定される第1の帯域幅値を含み得る。たとえば、第1の帯域幅値は、セルのコンポーネントキャリアの帯域幅パートに利用可能なRBの最大数を示し得る。他の態様では、複数の帯域幅値は、第1の帯域幅値に少なくとも部分的に基づいて特定される第2の帯域幅値を含み得る。ある例では、第1の帯域幅値は、第2の帯域幅値の整数の倍数または累乗であってよい。別の例では、第2の帯域幅値は、第1の帯域幅値の半分であり得る。第2の帯域幅値は、複数の帯域幅値のうちの第3および第4の帯域幅値の和に等しくてよい。たとえば、第2の帯域幅値は第1のRATの帯域幅値であってよく、第3および第4の帯域幅値は、第2のRATからの帯域幅値である。ある例では、第3および第4の帯域幅値は異なってよい。
【００３２】
いくつかの態様において、ユーザ機器装置のプロセッサは、帯域幅パートに関連付けられた帯域幅オフセット値を受信するための命令を実行するようにさらに構成され得る。たとえば、SRSを送信することは、帯域幅オフセット値に少なくとも部分的に基づいてSRSを送信することを含み得る。帯域幅オフセット値は、セルのコンポーネントキャリアの別の帯域幅パートに少なくとも部分的に基づき得る。
【００３３】
いくつかの態様において、ワイヤレス通信のための装置は、ユーザ機器(UE)に割り振られた、セルのコンポーネントキャリアの1つまたは複数の帯域幅パートを特定するための手段と、1つまたは複数の帯域幅パートの各々のためのサウンディング基準信号(SRS)帯域幅構成を受信するための手段と、SRS帯域幅構成に少なくとも部分的に基づいて、SRSを送信するための手段とを含み得る。たとえば、セルのコンポーネントキャリアは、複数の帯域幅パートを含み得る。たとえば、SRS帯域幅構成は、UEによるSRS送信のための複数の帯域幅値を含み得る。ある例では、複数の帯域幅値の各々は、物理リソースブロック(PRB)の数を示し得る。
【００３４】
いくつかの態様において、複数の帯域幅値の少なくとも1つのセットは、互いの整数の倍数である。たとえば、整数は2、4または8であってよい。他の態様では、複数の帯域幅値の少なくとも1つのセットは、第1の無線アクセス技術(RAT)の第1の帯域幅値および第2の無線アクセス技術(RAT)の第2の帯域幅値を含み得る。ある例では、第1のRATはロングタームエボリューション(LTE)であってよく、第2のRATはニューラジオ(NR)であってよい。
【００３５】
いくつかの態様において、複数の帯域幅値は、セルのコンポーネントキャリアの帯域幅パートの帯域幅またはセルのコンポーネントキャリアの帯域幅パートの数に少なくとも部分的に基づいて特定される第1の帯域幅値を含み得る。たとえば、第1の帯域幅値は、セルのコンポーネントキャリアの帯域幅パートに利用可能なRBの最大数を示し得る。他の態様では、複数の帯域幅値は、第1の帯域幅値に少なくとも部分的に基づいて特定される第2の帯域幅値を含み得る。たとえば、第1の帯域幅値は、第2の帯域幅値の整数の倍数または累乗であってよい。ある例では、第2の帯域幅値は、第1の帯域幅値の半分であり得る。他の例では、第2の帯域幅値は、複数の帯域幅値のうちの第3および第4の帯域幅値の和に等しくてよい。たとえば、第2の帯域幅値は第1のRATの帯域幅値であってよく、第3および第4の帯域幅値は、第2のRATからの帯域幅値であってよい。第3および第4の帯域幅値は異なってよい。
【００３６】
いくつかの態様において、ワイヤレス通信のための装置は、帯域幅パートに関連付けられた帯域幅オフセット値を受信するための手段をさらに含み得る。たとえば、SRSを送信することは、帯域幅オフセット値に少なくとも部分的に基づいてSRSを送信することを含み得る。たとえば、帯域幅オフセット値は、セルのコンポーネントキャリアの別の帯域幅パートに少なくとも部分的に基づき得る。
【００３７】
いくつかの態様において、プロセッサによって実行可能な命令を記憶する、ワイヤレス通信のための非一時的コンピュータ可読媒体は、ユーザ機器(UE)に割り振られた、セルのコンポーネントキャリアの1つまたは複数の帯域幅パートを特定するための命令と、1つまたは複数の帯域幅パートの各々のためのサウンディング基準信号(SRS)帯域幅構成を受信するための命令と、SRS帯域幅構成に少なくとも部分的に基づいて、SRSを送信するための命令とを含み得る。たとえば、セルのコンポーネントキャリアは、複数の帯域幅パートを含み得る。SRS帯域幅構成は、UEによるSRS送信のための複数の帯域幅値を含み得る。ある例では、複数の帯域幅値の各々は、物理リソースブロック(PRB)の数を示し得る。
【００３８】
いくつかの態様において、複数の帯域幅値の少なくとも1つのセットは、互いの整数の倍数であってよい。ある例では、整数は2、4または8であってよい。他の態様では、複数の帯域幅値の少なくとも1つのセットは、第1の無線アクセス技術(RAT)の第1の帯域幅値および第2の無線アクセス技術(RAT)の第2の帯域幅値を含む。ある例では、第1のRATはロングタームエボリューション(LTE)であってよく、第2のRATはニューラジオ(NR)であってよい。
【００３９】
いくつかの態様において、複数の帯域幅値は、セルのコンポーネントキャリアの帯域幅パートの帯域幅またはセルのコンポーネントキャリアの帯域幅パートの数に少なくとも部分的に基づいて特定される第1の帯域幅値を含み得る。たとえば、第1の帯域幅値は、セルのコンポーネントキャリアの帯域幅パートに利用可能なRBの最大数を示し得る。他の態様では、複数の帯域幅値は、第1の帯域幅値に少なくとも部分的に基づいて特定される第2の帯域幅値を含み得る。ある例では、第1の帯域幅値は、第2の帯域幅値の整数の倍数または累乗である。たとえば、第2の帯域幅値は、第1の帯域幅値の半分であり得る。他の態様では、第2の帯域幅値は、複数の帯域幅値のうちの第3および第4の帯域幅値の和に等しくてよい。たとえば、第2の帯域幅値は第1のRATの帯域幅値であってよく、第3および第4の帯域幅値は、第2のRATからの帯域幅値であってよい。第3および第4の帯域幅値は異なる。
【００４０】
いくつかの態様において、非一時的記憶媒体は、帯域幅パートに関連付けられた帯域幅オフセット値を受信するための命令をさらに含み得る。たとえば、SRSを送信することは、帯域幅オフセット値に少なくとも部分的に基づいてSRSを送信することを含み得る。ある例では、帯域幅オフセット値は、セルのコンポーネントキャリアの別の帯域幅パートに少なくとも部分的に基づき得る。
【００４１】
各態様は、一般に、添付の図面を参照しながら本明細書で十分に説明され、添付の図面によって示される、方法、装置、システム、コンピュータプログラム製品、非一時的コンピュータ可読記憶媒体、ユーザ機器、ワイヤレス通信デバイス、および処理システムを含む。
【００４２】
上記は、以下の発明を実施するための形態がより良く理解され得るように、本開示による例の特徴および技術的利点をかなり広範に概説している。以下で、追加の特徴および利点について説明する。開示する概念および具体例は、本開示の同じ目的を実施するための他の構造を変更または設計するための基礎として容易に利用され得る。そのような等価な構成は、添付の特許請求の範囲から逸脱しない。本明細書で開示する概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【００４３】
上述した本開示の特徴が詳細に理解され得るように、そのいくつかが添付の図面に示される態様を参照することによって、上記で概略的に説明した形態について詳細に説明し得る。しかしながら、上記の説明は他の同様に効果的な態様を可能にする場合があるので、添付の図面が、本開示のいくつかの典型的な態様のみを示し、したがって、本開示の範囲を限定するものと見なされるべきではないことに留意されたい。異なる図面における同じ参照番号は、同じまたは同様の要素を特定することがある。
【図面の簡単な説明】
【００４４】
【図１】本開示の様々な態様による、ワイヤレス通信システムおよびアクセスネットワークの例を概念的に示すブロック図である。
【図２Ａ】本開示の様々な態様によるDLフレーム構造の例を示す図である。
【図２Ｂ】本開示の様々な態様によるDLフレーム構造内のDLチャネルの例を示す図である。
【図２Ｃ】本開示の様々な態様によるULフレーム構造の例を示す図である。
【図２Ｄ】本開示の様々な態様によるULフレーム構造内のULチャネルの例を示す図である。
【図３】本開示の様々な態様による、アクセスネットワーク内の基地局およびユーザ機器(UE)の例を示す図である。
【図４】本開示の様々な態様による、UEと通信している基地局を示す図である。
【図５】本開示の様々な態様による、1つまたは複数の帯域幅パートの構成に関連付けられた例示的シナリオを示す図である。
【図６】本開示の様々な態様による、1つまたは複数の帯域幅パートの構成に関連付けられた例示的シナリオを示す図である。
【図７】本開示の様々な態様による、1つまたは複数の帯域幅パートの構成に関連付けられた例示的シナリオを示す図である。
【図８】本開示の様々な態様による、1つまたは複数の帯域幅パートの構成に関連付けられた例示的シナリオを示す図である。
【図９】本開示の様々な態様による、帯域幅パートに対する帯域幅オフセットの例を示す図である。
【図１０】本開示の様々な態様による、帯域幅パートに対する帯域幅オフセットの例を示す図である。
【図１１】本開示の様々な態様による、帯域幅パートにおけるSRS送信の管理の例を示す図である。
【図１２】本開示の様々な態様による、図1のUEの例示的構成要素の概略図である。
【図１３】本開示の様々な態様による、図1の基地局の例示的構成要素の概略図である。
【図１４】本開示の様々な態様による、たとえばUEによって実施される例示的なプロセス1400を示す図である。
【図１５】本開示の様々な態様による、たとえば基地局によって実施される別の例示的なプロセス1500を示す図である。
【発明を実施するための形態】
【００４５】
本明細書に記載する技法および装置は、帯域幅パートにおけるサウンディング基準信号(SRS)送信の管理に関する。送信帯域幅は、ワイヤレス通信ネットワークの送信速度(たとえば、ダウンリンクおよびアップリンク)の増大に対する請求を満たすために増大され得る。たとえば、5Gとも呼ばれる場合があるニューラジオ(NR)は、第3世代パートナーシッププロジェクト(3GPP)によって公表されたロングタームエボリューション(LTE)モバイル規格に対する拡張のセットであり、以前のワイヤレス通信規格(たとえば、LTE)よりも広い帯域幅をサポートすることができる。セルのコンポーネントキャリアの帯域幅が増大すると、1つまたは複数の帯域幅パートは、セルのコンポーネントキャリアの帯域幅用に構成されてよい。帯域幅パートは、リソースブロックのグループ(たとえば、リソースブロック(PRB)のグループ)ならびに帯域幅パラメータ(たとえば、サブキャリア間隔および/またはサイクリックプレフィックス(CP))を含み得る。たとえば、1つまたは複数の帯域幅パートが、通信用にユーザ機器(UE)に割り当てられ得る。ある例では、UEが、セルのコンポーネントキャリアの帯域幅未満である帯域幅を有する帯域幅パートを構成してよく、UEは、帯域幅パートを介した(セルのコンポーネントキャリアの残りの帯域幅または帯域幅パートを介さない)通信を構成し得る。NRまたは5G無線アクセス技術(RAT)向けに、セルのコンポーネントキャリアのより広い帯域幅をサポートするために、追加帯域幅値が必要とされる場合がある。また、セルのコンポーネントキャリアの帯域幅パートをサポートするために、追加帯域幅パラメータ(たとえば、SRS帯域幅構成および/または帯域幅オフセット値)が必要とされる場合がある。本明細書に記載する技法は、そのような帯域幅パートおよび帯域幅パートを使うSRS送信の管理などに関する。
【００４６】
本開示の様々な態様は、添付図面を参照して以下でより十分に説明される。しかしながら、本開示は、多くの異なる形態で具現化されてよく、本開示全体にわたって提示される任意の特定の構造または機能に限定されるものと解釈されるべきでない。むしろ、これらの態様は、本開示が周到で完全になり、本開示の範囲を当業者に十分に伝えるために与えられる。本明細書の教示に基づいて、本開示の範囲は、本開示の任意の他の態様とは無関係に実装されるにせよ、本開示の任意の他の態様と組み合わせて実装されるにせよ、本明細書で開示する本開示の任意の態様を包含するものであることを、当業者は諒解されたい。たとえば、本明細書に記載の任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示される本開示のいずれの態様も、請求項の1つまたは複数の要素によって具現化され得ることを理解されたい。
【００４７】
次に、様々な装置および技法を参照しながら、電気通信システムのいくつかの態様を提示する。これらの装置および技法について、以下の詳細な説明において説明し、様々なブロック、モジュール、構成要素、回路、ステップ、プロセス、アルゴリズムなど(「要素」と総称される)によって添付の図面に示す。これらの要素は、ハードウェア、ソフトウェア、またはそれらの組合せを使用して実装され得る。そのような要素がハードウェアとして実装されるのかそれともソフトウェアとして実装されるのかは、適用例および全体的なシステムに課される設計制約に依存する。
【００４８】
本明細書では、3Gおよび/または4Gワイヤレス技術に一般的に関連する用語を使用して、態様について説明する場合があるが、本開示の態様は、NR技術を含む、5G以降など、他の世代ベースの通信システムにおいて適用される場合があることに留意されたい。
【００４９】
図1は、本開示の様々な態様による、ワイヤレス通信システムおよびアクセスネットワークの例100を概念的に示すブロック図である。ワイヤレス通信システムおよびアクセスネットワークは、LTEネットワーク、または5GもしくはNRネットワークなど、何らかの他のワイヤレスネットワークであってよい。ワイヤレス通信システム(ワイヤレスワイドエリアネットワーク(WWAN)とも呼ばれる)は、基地局102、UE104、および発展型パケットコア(EPC)160を含む。基地局102は、マクロセル(高電力セルラー基地局)および/またはスモールセル(低電力セルラー基地局)を含み得る。マクロセルは基地局を含む。スモールセルは、フェムトセル、ピコセル、およびマイクロセルを含む。
【００５０】
BSは、マクロセル、ピコセル、フェムトセル、および/または別のタイプのセルのための通信カバレージを提供し得る。マクロセルは、比較的大きい地理的エリア(たとえば、半径数キロメートル)をカバーする場合があり、サービスに加入しているUEによる無制限アクセスを可能にすることがある。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連付けを有するUE(たとえば、限定加入者グループ(CSG)の中のUE)による制限付きアクセスを可能にし得る。マクロセル用のBSは、マクロBSと呼ばれることがある。ピコセル用のBSは、ピコBSと呼ばれることがある。フェムトセル用のBSは、フェムトBSまたはホームBSと呼ばれることがある。図1に示す例では、BS102は、マクロセル、ピコセル102、およびフェムトセル用のマクロBSであり得る。BSは1つまたは複数(たとえば、3つ)のセルをサポートしてよい。「eNB」、「基地局」、「NR BS」、「gNB」、「TRP」、「AP」、「ノードB」、「5G NB」、および「セル」という用語が、本明細書では互換的に使用される場合がある。
【００５１】
基地局102(発展型ユニバーサルモバイルテレコミュニケーションシステム(UMTS)地上波無線アクセスネットワーク(E-UTRAN)と総称される)は、バックホールリンク132(たとえば、S1インターフェース)を介してEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバ、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配信という機能のうちの1つまたは複数を実施することができる。基地局102は、バックホールリンク134(たとえば、X2インターフェース)を介して互いに直接または間接的に(たとえば、EPC160を通して)通信し得る。バックホールリンク134はワイヤードまたはワイヤレスであり得る。
【００５２】
基地局102は、UE104とワイヤレス通信し得る。基地局102の各々は、それぞれの地理的カバレージエリア110に通信カバレージを提供することができる。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られていることがある。異種ネットワークは、限定加入者グループ(CSG)として知られる限定グループにサービスを提供することができるホーム発展型ノードB(eNB)(HeNB)を含むこともある。基地局102とUE104との間の通信リンク120は、UE104から基地局102へのアップリンク(UL)(逆方向リンクとも呼ばれる)送信、および/または基地局102からUE104へのダウンリンク(DL)(順方向リンクとも呼ばれる)送信を含んでよい。通信リンク120は、空間多重化、ビームフォーミング、および/または送信ダイバーシティを含む、多入力多出力(MIMO)アンテナ技術を使用し得る。通信リンクは、1つまたは複数のキャリアを通したものであり得る。基地局102/UE104は、各方向での送信のために使用される合計Yx MHz(x個のコンポーネントキャリア)までのキャリアアグリゲーションにおいて割り振られた、キャリア当たりY MHz(たとえば、5、10、15、20、100MHz)までの帯域幅のスペクトルを使用し得る。キャリアは互いに隣接しても隣接しなくてもよい。コンポーネントキャリアの割振りは、DLおよびULに関して非対称であってよい(たとえば、DL用にUL用よりも多数または少数のキャリアが割り振られてよい)。コンポーネントキャリアは、1次コンポーネントキャリア、および1つまたは複数の2次コンポーネントキャリアを含んでよい。1次コンポーネントキャリアは1次セル(PCell)と呼ばれる場合があり、2次コンポーネントキャリアは2次セル(SCell)と呼ばれる場合がある。
【００５３】
いくつかのUE104は、デバイス対デバイス(D2D)通信リンク192を使用して互いに通信し得る。D2D通信リンク192はDL/UL WWANスペクトルを使用し得る。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)など、1つまたは複数のサイドリンクチャネルを使うことができる。D2D通信は、たとえば、FlashLinQ、WiMedia、Bluetooth(登録商標)、ZigBee、IEEE802.11規格に基づくWi-Fi、LTE、またはNRなど、様々なワイヤレスD2D通信システムを通してよい。
【００５４】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを判断するために、通信するより前にクリアチャネルアセスメント(CCA)を実施することができる。
【００５５】
スモールセル102'は、認可および/または無認可の周波数スペクトル内で動作し得る。無認可周波数スペクトル内で動作しているとき、スモールセル102'は、NRを採用し、Wi-Fi AP150によって使用されるのと同じ5GHz無認可周波数スペクトルを使用してよい。無認可周波数スペクトルにおいてNRを採用するスモールセル102'は、アクセスネットワークへのカバレージを増強し得、かつ/またはアクセスネットワークの容量を増大させ得る。
【００５６】
gノードB(gNB)180は、UE104と通信しているミリ波(mmW)周波数および/または準mmW周波数において動作し得る。gNB180がmmW周波数または準mmW周波数で動作するとき、gNB180はmmW基地局と呼ばれることがある。極高周波数(EHF)は、電磁スペクトルにおけるRFの一部である。EHFは、30GHz〜300GHzの範囲および1ミリメートルから10ミリメートルの間の波長を有する。その帯域における電波は、ミリ波と呼ばれることがある。準mmWは、100ミリメートルの波長を有する3GHzの周波数まで下へ広がり得る。超高周波数(SHF)帯域は、センチメートル波とも呼ばれ、3GHzから30GHzの間に広がる。mmW/準mmW無線周波数帯域を使用する通信は、経路損失が極めて大きく、距離が短い。mmW基地局180は、極めて大きい経路損失および短い距離を補償するために、UE104に対してビームフォーミング184を利用し得る。
【００５７】
EPC160は、モビリティ管理エンティティ(MME)162、他のMME164、サービングゲートウェイ166、マルチメディアブロードキャストマルチキャストサービス(MBMS)ゲートウェイ168、ブロードキャストマルチキャストサービスセンタ(BM-SC)170、およびパケットデータネットワーク(PDN)ゲートウェイ172を含み得る。MME162は、ホーム加入者サーバ(HSS)174と通信している場合がある。MME162は、UE104とEPC160との間のシグナリングを処理する制御ノードである。概して、MME162はベアラおよび接続管理を提供する。すべてのユーザインターネットプロトコル(IP)パケットは、サービングゲートウェイ166を通して転送され、サービングゲートウェイ166自体は、PDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含み得る。BM-SC170は、MBMSユーザサービスのプロビジョニングおよび配送のための機能を提供し得る。BM-SC170は、コンテンツプロバイダMBMS送信のためのエントリポイントとして機能することがあり、公衆陸上移動網(PLMN)内のMBMSベアラサービスを認可および開始するために使用されることがあり、MBMS送信をスケジュールするために使用されることがある。MBMSゲートウェイ168は、サービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００５８】
基地局は、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの好適な用語で呼ばれることもある。基地局102は、UE104のためにEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、トースター、または任意の他の同様の機能デバイスがある。UE104の一部は、IoTデバイス(たとえば、パーキングメーター、ガスポンプ、トースター、車両など)と呼ばれることがある。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、またはいくつかの他の好適な用語で呼ばれることもある。
【００５９】
上記タイプのUE104のうちの1つまたは複数が、本明細書の他の箇所でより詳しく記載するように、セルのコンポーネントキャリアの全帯域幅未満である、セルのコンポーネントキャリアの1つまたは複数の帯域幅パート上での通信を構成することができ、1つまたは複数の帯域幅パートを使って基地局102と通信することができる。追加または代替として、基地局102は、セルのコンポーネントキャリアの1つまたは複数の帯域幅パートを、UE140が基地局102と通信するために構成することができる。セルのコンポーネントキャリアの1つまたは複数の帯域幅パートの各々は、SRS帯域幅構成および/または帯域幅オフセット値を含み得る。基地局102は、UE用に構成されている帯域幅パートの各々についての、SRS帯域幅構成および/または帯域幅オフセット値を、UEへ送信すればよい。UE104は、本明細書の他の箇所でより詳しく記載するように、基地局102と通信するための、1つまたは複数の帯域幅パートの各々についてのSRS帯域幅構成および/または帯域幅オフセット値を受信し得る。
【００６０】
任意の数のワイヤレスネットワークが、所与の地理的エリアの中に展開されてよい。各ワイヤレスネットワークは、1つまたは複数のRATをサポートしてよく、1つまたは複数の周波数上で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的領域において単一のRATをサポートし得る。いくつかのケースでは、NR RATネットワークまたは5G RATネットワークが展開されてよい。
【００６１】
いくつかの例では、エアインターフェースへのアクセスがスケジュールされてもよく、スケジューリングエンティティ(たとえば、基地局)は、そのサービスエリアまたはセル内のいくつかまたはすべてのデバイスおよび機器の間で通信用のリソースを割り振る。本開示内で、以下でさらに説明するように、スケジューリングエンティティは、1つまたは複数の従属エンティティのためのリソースのスケジューリング、割当て、再構成、および解放を担い得る。すなわち、スケジュールされた通信の場合、従属エンティティは、スケジューリングエンティティによって割り振られたリソースを利用する。
【００６２】
基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEがスケジューリングエンティティとして機能しており、他のUEは、ワイヤレス通信のためにUEによってスケジュールされたリソースを利用する。UEは、ピアツーピア(P2P)ネットワーク内、および/またはメッシュネットワーク内で、スケジューリングエンティティとして機能し得る。メッシュネットワークの例では、UEは、スケジューリングエンティティと通信することに加えて、任意選択で互いと直接通信し得る。
【００６３】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００６４】
上記のように、図1は単に例として示されている。他の例が可能であり、図1に関して説明したことと異なってよい。
【００６５】
図2Aは、本開示の様々な態様による、DLフレーム構造の例を示す図200である。図2Bは、本開示の様々な態様による、DLフレーム構造内のチャネルの例を示す図230である。図2Cは、本開示の様々な態様による、ULフレーム構造の例を示す図250である。図2Dは、本開示の様々な態様による、ULフレーム構造内のチャネルの例を示す図280である。他のワイヤレス通信技術は、異なるフレーム構造および/または異なるチャネルを有することがある。フレーム(10ms)は、等しいサイズの10個のサブフレームに分割され得る。たとえば、第1のRAT(たとえば、4Gワイヤレス通信システム)の各サブフレームは、2つの連続するタイムスロットを含み得る。別の例では、第2のRAT(たとえば、NR/5Gワイヤレス通信システム)の各サブフレームは、1つまたは複数の(たとえば、2つの連続する)スケジューリングユニットを含み得る。リソースグリッドは、2つのタイムスロットを表すために使用されることがあり、各タイムスロットは、1つまたは複数の時間同時(time concurrent)リソースブロック(RB)(物理RB(PRB)とも呼ばれる)を含む。リソースグリッドは複数のリソース要素(RE)に分割される。ノーマルサイクリックプレフィックスの場合、RBは、合計84個のREについて、周波数領域に12個の連続するサブキャリアを含むことがあり、時間領域に7つの連続するシンボル(DLの場合はOFDMシンボル、ULの場合はSC-FDMAシンボル)を含むことがある。拡張サイクリックプレフィックスの場合、RBは、合計で72個のREについて、周波数領域に12個の連続するサブキャリアを含み、時間領域に6個の連続するシンボルを含み得る。各REによって搬送されるビットの数は、変調方式に依存する。
【００６６】
図2Aに示されるように、REのうちのいくつかは、UEにおけるチャネル推定のためのDL基準(パイロット)信号(DL-RS)を搬送する。DL-RSは、第1のRAT(たとえば、4Gワイヤレス通信システム)の(共通RSと呼ばれることもある)セル固有基準信号(CRS)と、UE固有基準信号(UE-RS)と、チャネル状態情報基準信号(CSI-RS)とを含み得る。図2Aは、アンテナポート0、1、2、および3のためのCRS(それぞれ、R0、R1、R2、およびR3として示される)、アンテナポート5のためのUE-RS(R5として示される)、ならびにアンテナポート15のためのCSI-RS(Rとして示される)を示す。
【００６７】
図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいて、HARQ肯定応答(ACK)/否定ACK(NACK)フィードバックを示す、HARQインジケータ(HI)を搬送する。1次同期チャネル(PSCH)は、フレームのサブフレーム0および5内のスロット0のシンボル6内にあり得る。PSCHは、サブフレーム/シンボルのタイミングおよび物理レイヤ識別情報を決定するためにUE104によって使用される、1次同期信号(PSS)を搬送する。2次同期チャネル(SSCH)は、フレームのサブフレーム0および5内のスロット0のシンボル5内にあり得る。SSCHは、物理レイヤセル識別情報グループ番号および無線フレームタイミングを決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSのロケーションを決定することができる。マスター情報ブロック(MIB)を搬送する物理ブロードキャストチャネル(PBCH)は、PSCHおよびSSCHと論理的にグループ化されて、同期信号(SS)ブロックを形成し得る。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通して送信されないブロードキャストシステム情報と、ページングメッセージとを搬送する。
【００６８】
図2Cに示されるように、REの一部は、基地局におけるチャネル推定のための復調基準信号(DM-RS)を搬送する。たとえば、UEは、第1のRAT(たとえば、4Gワイヤレス通信システム)において、サブフレームの最終シンボル中でサウンディング基準信号(SRS)をさらに送信し得る。別の例では、UEは、第2のRAT(たとえば、NR/5Gワイヤレス通信システム)において、基地局によるSRSリソース割振りに少なくとも部分的に基づいて、サウンディング基準信号(SRS)を送信し得る。SRSはコム構造を有することがあり、UEはコムのうちの1つの上でSRSを送信することがある。SRSは、UL上での周波数依存スケジューリングを可能にするために、チャネル品質推定のために基地局によって使用され得る。
【００６９】
図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含み得る。PRACHにより、UEが初期システムアクセスを実施し、UL同期を実現することが可能になる。物理アップリンク制御チャネル(PUCCH)は、ULシステム帯域幅のエッジ上に位置する場合がある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、電力ヘッドルーム報告(PHR)、および/またはUCIを搬送するためにさらに使用されることがある。
【００７０】
フレーム、サブフレーム、スロットなどに関していくつかの技法について本明細書で説明するが、これらの技法は、5G NRにおいて「フレーム」、「サブフレーム」、「スロット」など以外の用語を使用して呼ばれることがある、他のタイプのワイヤレス通信構造に等しく適用され得る。いくつかの態様では、ワイヤレス通信構造は、ワイヤレス通信規格および/またはプロトコルによって規定される、周期的に時間限定された通信単位を指すことがある。いくつかの態様において、UEが、本明細書の他の箇所でより詳しく記載するように、スロット、フレーム、サブフレームなどのサブセットにおいて、1つまたは複数の帯域幅パートを構成し得る。
【００７１】
図3は、本開示の様々な態様による、アクセスネットワークにおいてUE350と通信している基地局310のブロック図である。DLでは、EPC160からのIPパケットがコントローラ/プロセッサ375に提供され得る。コントローラ/プロセッサ375は、レイヤ3およびレイヤ2の機能性を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスト、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能性と、ヘッダ圧縮/解凍、セキュリティ(暗号化、解読、完全性保護、完全性検証)、およびハンドオーバサポート機能に関連するPDCPレイヤ機能性と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能性と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能性とを提供する。
【００７２】
送信(TX)プロセッサ316および受信(RX)プロセッサ370は、様々な信号処理機能と関連付けられるレイヤ1機能性を実装する。物理(PHY)レイヤを含むレイヤ1は、トランスポートチャネル上の誤り検出、トランスポートチャネルの前方誤り訂正(FEC)コーディング/復号、インターリービング、レートマッチング、物理チャネル上へのマッピング、物理チャネルの変調/復調、およびMIMOアンテナ処理を含んでよい。TXプロセッサ316は、様々な変調方式(たとえば、2位相シフトキーイング(BPSK)、4位相シフトキーイング(QPSK)、M位相シフトキーイング(M-PSK)、M相直交振幅変調(M-QAM))に基づく信号コンスタレーションへのマッピングを処理する。コーディングおよび変調されたシンボルは、次いで、並列ストリームに分割され得る。各ストリームは、次いで、時間領域OFDMシンボルストリームを搬送する物理チャネルを生成するために、OFDMサブキャリアにマッピングされ、時間領域および/または周波数領域において基準信号(たとえば、パイロット)と多重化され、次いで、逆高速フーリエ変換(IFFT)を使用して合成されることがある。OFDMストリームは、複数の空間ストリームを生成するために空間的にプリコーディングされる。チャネル推定器374からのチャネル推定値は、コーディングおよび変調方式を決定するために、かつ空間処理のために使用され得る。チャネル推定値は、UE350によって送信された基準信号および/またはチャネル状態フィードバックから導出され得る。各空間ストリームは、次いで、別個の送信機318TXを介して異なるアンテナ320に提供され得る。各送信機318TXは、送信のためにそれぞれの空間ストリームを用いてRFキャリアを変調し得る。
【００７３】
UE350において、各受信機354RXは、そのそれぞれのアンテナ352を通して信号を受信する。各受信機354RXは、RFキャリア上に変調された情報を復元し、その情報を受信(RX)プロセッサ356に与える。TXプロセッサ368およびRXプロセッサ356は、様々な信号処理機能に関連付けられたレイヤ1機能性を実装する。RXプロセッサ356は、UE350に宛てられた任意の空間ストリームを復元するために、情報に対して空間処理を実施することができる。複数の空間ストリームは、UE350に宛てられている場合、RXプロセッサ356によって単一のOFDMシンボルストリームへと合成され得る。次いで、RXプロセッサ356は、高速フーリエ変換(FFT)を使用して、OFDMシンボルストリームを時間領域から周波数領域にコンバートする。周波数領域信号は、OFDM信号のサブキャリアごとに別々のOFDMシンボルストリームを含む。各サブキャリア上のシンボル、および基準信号は、基地局310によって送信された最も可能性の高い信号コンスタレーションポイントを決定することによって復元および復調される。これらの軟判定は、チャネル推定器358によって算出されたチャネル推定値に基づいてよい。軟判定は、次いで、復号およびデインターリーブされて、物理チャネル上で基地局310によって当初送信されたデータおよび制御信号を復元する。データおよび制御信号は、次いで、レイヤ3およびレイヤ2の機能性を実装するコントローラ/プロセッサ359に提供される。
【００７４】
コントローラ/プロセッサ359は、プログラムコードとデータとを記憶するメモリ360に関連付けられ得る。メモリ360は、コンピュータ可読媒体と呼ばれる場合がある。ULでは、コントローラ/プロセッサ359は、トランスポートチャネルと論理チャネルとの間の逆多重化、パケットリアセンブリ、解読、ヘッダ解凍、および制御信号処理を行って、EPC160からのIPパケットを復元する。コントローラ/プロセッサ359はまた、ACKおよび/またはNACKプロトコルを使用してHARQ動作をサポートする誤り検出を担う。
【００７５】
基地局310によるDL送信に関して説明された機能性と同様に、コントローラ/プロセッサ359は、システム情報(たとえば、MIB、SIB)収集、RRC接続、および測定報告に関連するRRCレイヤ機能性と、ヘッダ圧縮/解凍およびセキュリティ(暗号化、解読、完全性保護、完全性検証)に関連するPDCPレイヤ機能性と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能性と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先順位付けに関連するMACレイヤ機能性とを提供する。
【００７６】
基地局310によって送信された基準信号またはフィードバックからチャネル推定器358によって導出されたチャネル推定値は、適切なコーディングおよび変調方式を選択し、空間的処理を容易にするために、TXプロセッサ368によって使用され得る。TXプロセッサ368によって生成された空間ストリームは、別個の送信機354TXを介して異なるアンテナ352に提供され得る。各送信機354TXは、送信のためにそれぞれの空間ストリームでRFキャリアを変調し得る。
【００７７】
UL送信は、UE350における受信機機能に関して説明された方法と同様の方法で基地局310において処理される。各受信機318RXは、そのそれぞれのアンテナ320を通して信号を受信する。各受信機318RXは、RFキャリア上に変調された情報を復元し、その情報をRXプロセッサ370に提供する。
【００７８】
コントローラ/プロセッサ375は、プログラムコードとデータとを記憶するメモリ376に関連付けられ得る。メモリ376は、コンピュータ可読媒体と呼ばれる場合がある。ULでは、コントローラ/プロセッサ375は、トランスポートチャネルと論理チャネルとの間の逆多重化、パケットリアセンブリ、解読、ヘッダ解凍、制御信号処理を行って、UE350からのIPパケットを復元する。コントローラ/プロセッサ375からのIPパケットは、EPC160に提供され得る。コントローラ/プロセッサ375は、HARQ動作をサポートするために、ACKプロトコルおよび/またはNACKプロトコルを使用した誤り検出も担う。
【００７９】
図4は、本開示のある態様による、UE404と通信している基地局402を示す図400である。図4を参照すると、基地局402は、方向402a、402b、402c、402d、402e、402f、402g、402hのうちの1つまたは複数において、ビームフォーミングされた信号をUE404に送信し得る。UE404は、1つまたは複数の受信方向404a、404b、404c、404dにおいて基地局402からビームフォーミングされた信号を受信し得る。UE404はまた、方向404a〜404dのうちの1つまたは複数において基地局402にビームフォーミングされた信号を送信し得る。基地局402は、受信方向402a〜402hのうちの1つまたは複数においてUE404からビームフォーミングされた信号を受信し得る。基地局402/UE404は、基地局402/UE404の各々に対する最良の受信方向および送信方向を決定するためにビーム訓練を実施し得る。基地局402に対する送信方向および受信方向は、同じであることも同じではないこともある。UE404に対する送信方向および受信方向は、同じであることも同じではないこともある。
【００８０】
本明細書で説明する例の態様は、LTE技術に関連付けられ得るが、本開示の態様は、NR技術または5G技術などの他のワイヤレス通信システムに適用可能であり得る。
【００８１】
ニューラジオ(NR)は、(たとえば、直交周波数分割多元接続(OFDMA)ベースのエアインターフェース以外の)新たなエアインターフェースまたは(たとえば、インターネットプロトコル(IP)以外の)固定トランスポートレイヤに従って動作するように構成された無線を指すことがある。態様では、NRは、アップリンク上でCPを有するOFDM(本明細書ではサイクリックプレフィックスOFDMもしくはCP-OFDMと呼ばれる)および/またはSC-FDMを使用することができ、ダウンリンク上でCP-OFDMを利用し、時分割複信(TDD)を使用する半二重動作に対するサポートを含み得る。態様では、NRは、アップリンク上で、たとえば、CP付きOFDM(本明細書では、CP-OFDMと呼ばれる)および/または離散フーリエ変換拡散直交周波数分割多重化(DFT-s-OFDM)を利用してよく、ダウンリンク上でCP-OFDMを利用してよく、TDDを使用する半二重動作に対するサポートを含んでよい。NRは、拡張モバイルブロードバンド(eMBB)サービスターゲットの広い帯域幅(たとえば、80MHz以上)、ミリ波(mmW)ターゲットの高いキャリア周波数(たとえば、60GHz)、マッシブMTC(mMTC)ターゲットの後方互換性のないMTC技法、および/またはミッションクリティカルターゲットの超高信頼低レイテンシ通信(URLLC)サービスを含み得る。
【００８２】
100MHzの単一のコンポーネントキャリア帯域幅がサポートされ得る。NRリソースブロックは、0.1msの持続時間にわたって、サブキャリア帯域幅が75キロヘルツ(kHz)の12本のサブキャリアに広がり得る。各無線フレームは、長さが10msの50個のサブフレームを含んでよい。したがって、各サブフレームは長さが0.2msであり得る。各サブフレームは、データ送信のためのリンク方向(たとえば、DLまたはUL)を示すことができ、サブフレームごとのリンク方向は動的に切り替えられてよい。各サブフレームは、ダウンリンク/アップリンク(DL/UL)データならびにDL/UL制御データを含んでよい。
【００８３】
ビームフォーミングがサポートされてよく、ビーム方向は動的に構成され得る。プリコーディングを伴うMIMO送信もサポートされ得る。DLにおけるMIMO構成は、最大8個のストリームかつUEごとに最大2個のストリームのマルチレイヤDL送信とともに、最大8個の送信アンテナをサポートし得る。UEごとに最大で2つのストリームを用いたマルチレイヤ送信がサポートされ得る。最大で8つのサービングセルを用いて、複数のセルのアグリゲーションがサポートされてよい。代替として、NRは、OFDMベースのインターフェース以外の異なるエアインターフェースをサポートし得る。NRネットワークは、中央ユニットまたは分散ユニットなどのエンティティを含んでよい。
【００８４】
RANは、中央ユニット(CU)および分散ユニット(DU)を含み得る。NR BS(たとえば、gNB、5GノードB、ノードB、送信受信ポイント(TRP)、アクセスポイント(AP))は、1つまたは複数のBSに対応し得る。NRセルは、アクセスセル(ACell)またはデータオンリーセル(DCell)として構成され得る。たとえば、RAN(たとえば、中央ユニットまたは分散ユニット)は、セルを構成することができる。DCellは、キャリアアグリゲーションまたはデュアル接続性のために使用されるが、初期アクセス、セル選択/再選択、またはハンドオーバのために使用されないセルであり得る。いくつかの例では、DCellは、同期信号を送信しなくてよい。いくつかの例では、DCellは、同期信号を送信してよい。NR BSは、セルタイプを示すダウンリンク信号をUEへ送信し得る。セルタイプ指示に少なくとも部分的に基づいて、UEはNR BSと通信し得る。たとえば、UEは、示されるセルタイプに少なくとも部分的に基づいて、セル選択用、アクセス用、ハンドオーバ用、および/または測定用と見なすべきNR BSを決定し得る。
【００８５】
上記のように、図4は単に例として示されている。他の例が可能であり、図4に関して説明したことと異なってよい。
【００８６】
図5〜図8は、本開示の様々な態様による、1つまたは複数の帯域幅パートの構成に関連付けられた例示的シナリオを示す図である。
【００８７】
ニューラジオ(NR)は、複数の異なるヌメロロジー(たとえば、15kHz、30kHz、60kHz、120kHzなど)および複数の異なるスロット持続時間(たとえば、0.5ms、0.25ms、0.125msなど)の使用をサポートする。さらに、NRにおける広帯域帯域幅(たとえば、システム帯域幅など)は、最大100MHz(たとえば、6GHz未満の周波数帯域向け)、最大400MHz(たとえば、6GHzを上回る周波数帯域向け)などであってよい。いくつかのケースでは、UEが、広帯域帯域幅のサブセットを監視するのみであるか、またはそのサブセットをサービスされるのみであるシナリオがあり得る。この広帯域帯域幅サブセットは、帯域幅パート(BWP)と呼ばれ得る。UEは、少なくとも1つのダウンリンク帯域幅パートおよび/または1つのアップリンク帯域幅パートで構成され得る。また、UEは、異なる目的(たとえば、ダウンリンク、アップリンク、アップリンクビームフォーミング)のためのリソースで構成され得る。ある例では、UEはSRSリソースで構成されてよく、SRSリソースの構成は、UEに定期的に、半永続的に、または非定期的にシグナリングされてよい(たとえば、ダウンリンク制御情報(DCI)中でシグナリングされてよい)。
【００８８】
たとえば、図5に示すように、例示的図500が、広帯域帯域幅に広がり得るコンポーネントキャリア510を示すことができ、帯域幅パート(BWP)520は、コンポーネントキャリア510の一部分に広がり得る。たとえば、帯域幅パート520は、低減されたUE帯域幅能力などのUE能力により、コンポーネントキャリア510未満であり得る。より具体的な例として、UEは、限定帯域幅能力をもつNB-IoT UEであってよい。
【００８９】
BWP520は、複数のSRS帯域幅構成で構成され得る。たとえば、基地局は、BWP520用の複数のSRS帯域幅構成から、あるSRS帯域幅構成を特定することができる。BWP520のSRS帯域幅構成は、BWP520によってサービスされるすべてのUEに対して、コンポーネントキャリア固有またはセル固有であってよい。たとえば、特定されたSRS帯域幅構成は、BWP520によってサービスされるすべてのUEへ送信されてよい。ある例では、異なる複数のSRS帯域幅構成が、BWP520の帯域幅に少なくとも部分的に基づいて、BWP520用に構成され得る。ある例では、Table 1(表1)に示すように、BWP520は、複数のSRS帯域幅構成
【数１】
0006936386.tif 000002
のセットで構成されてよく、複数のSRS帯域幅構成
【数２】
0006936386.tif 000003
の各々は、異なる帯域幅値(MSRS)を含み得る。異なる帯域幅値(MSRS)は、UEによるSRS送信用に構成されたリソースブロック(たとえば、物理リソースブロック)の数を示し得る。
【００９０】
【表１】
0006936386.tif 000004
【００９１】
別の例では、Table 2(表2)に示すように、BWP520は、Table 1(表1)中のBWP520とは異なる、複数のSRS帯域幅構成
【数３】
0006936386.tif 000005
のセットで構成され得る。また、Table 2(表2)中の複数のSRS帯域幅構成
【数４】
0006936386.tif 000006
の各々は、Table 1(表1)に示すSRS帯域幅構成
【数５】
0006936386.tif 000007
の帯域幅値(MSRS)とは異なる帯域幅値(MSRS)を含み得る。
【００９２】
【表２】
0006936386.tif 000008
【００９３】
別の例として、および図6に示すように、例示的図600は、広帯域帯域幅に広がり得るコンポーネントキャリア610を示すことができ、第1の帯域幅パート(BWP1)620は、コンポーネントキャリア610の一部分に広がることができ、第2の帯域幅パート(BWP2)630は、第1の帯域幅パート620の一部分に広がることができる。この場合、第1の帯域幅パート620はUE帯域幅能力を表すことができ、第2の帯域幅パート630は、UEによって監視されるか、またはUEにサービスされるべき帯域幅を表すことができる。たとえば、UEは、第1の帯域幅パート620全体を介して通信することが可能であり得るが、バッテリー電力を節約するために、第2の帯域幅パート630においてのみ(たとえば、ある時間期間だけ)通信するように構成されてよい。この場合、UEは、UEが第1の帯域幅パート620を監視するか、またはそのパート上でサービスされる全帯域幅構成と、UEが第2の帯域幅パート630を監視するか、またはそのパート上でサービスされる帯域幅パート構成との間を遷移することが可能であり得る。たとえば、UEは、UEが、データ(たとえば、閾量のデータ)を送信または受信するようにスケジュールされているとき、全帯域幅構成に遷移してよく、UEが、データを送信または受信するようにスケジュールされていないとき、バッテリー電力を節約するための帯域幅パート構成に遷移してよい。
【００９４】
別の例として、および図7に示すように、例示的図700が、複数の帯域幅パート、たとえば、第1の帯域幅パート(BWP1)720および第2の帯域幅パート(BWP2)730に区分され得る広帯域帯域幅に広がり得るコンポーネントキャリア710を示し得る。第1および第2の帯域幅パート720、730は、各々、コンポーネントキャリア710の一部分に広がり得る。いくつかの態様において、異なる帯域幅パートは、15kHz、30kHz、60kHz、120kHzなどのような、異なるヌメロロジーに関連付けられ得る。追加または代替として、ガード帯域740(たとえば、ギャップ)が、帯域幅パートおよび/またはヌメロロジーの間の干渉を低減するために、異なる帯域幅パートの間に構成され得る。
【００９５】
別の例として、および図8に示すように、例示的図800が、複数の帯域幅パート、たとえば、第1の帯域幅パート(BWP1)820および第2の帯域幅パート(BWP2)830に区分され得る広帯域帯域幅に広がり得るコンポーネントキャリア810を示し得る。さらに、コンポーネントキャリア810は、UEによって使われない第3の帯域幅パート(BWP3)840を含み得る。たとえば、第1の帯域幅パート820および第2の帯域幅パート830は、同じネットワークオペレータに関連付けられてよく、かつ/または帯域内キャリアアグリゲーションをサポートするのに使われてよいが、第3の帯域幅パート840は、異なるネットワークオペレータに関連付けられてよく、かつ/またはキャリアアグリゲーション用に使われなくてよい。いくつかの実装形態では、同期信号(SS)ブロック(たとえば、PSS、SSS、PBCHなどのうちの1つまたは複数を含む)が、1つの帯域幅パート上で送信されてよく、ネットワークリソースを節約するために、複数の帯域幅パートについての情報を含み得る。
【００９６】
上記のように、図5〜図8は例として与えられる。他の例が可能であり、図5〜図8に関連して説明されたものとは異なってよい。
【００９７】
異なるタイプの帯域幅パートについて、図5〜図8のシナリオに関連して記載するが、本明細書に記載する技法は、図5〜図8に関連して上述したように、帯域幅パートの各々のためのSRS帯域幅構成および/または帯域幅オフセット値を構成することに関する。たとえば、UEは、BWP1 620に対応し得る、コンポーネントキャリアの帯域幅パート(たとえば、BWP2 630)で構成され得る。追加または代替として、UEは、図8に関連して上述したキャリアアグリゲーションシナリオでのように、複数のコンポーネントキャリア用の1つまたは複数の帯域幅パート(たとえば、BWP1 820および/またはBWP2 830)で構成され得る。
【００９８】
上述したように、1つまたは複数の帯域幅パートが、基地局との通信用に、UEに割り当てられ得る。たとえば、UEは、第1のRAT(たとえば、NRまたは5G)用の構成された1つまたは複数の帯域幅パートを使って、基地局へSRSを送信し得る。たとえば、複数のSRS帯域幅構成が、1つまたは複数の帯域幅パートの各々向けに構成され得る。複数のSRS帯域幅構成の各々は、帯域幅値の異なるセットを含み得る。複数のSRS帯域幅構成の各々の複数の帯域幅値は、帯域幅パートによってサービスされるUEによるSRS送信用に構成されたリソースブロック(たとえば、物理リソースブロック(PRB))の帯域幅および/または数を示し得る。
【００９９】
基地局は、1つまたは複数の帯域幅パートの各々向けに、複数のSRS帯域幅構成から、あるSRS帯域幅構成を特定することができる。SRS帯域幅構成は、帯域幅パートによってサービスされるすべてのUEに対して、コンポーネントキャリア固有またはセル固有であってよい。たとえば、帯域幅パート用に構成されたSRS帯域幅構成は、帯域幅パートによってサービスされるすべてのUEへ送信されてよい。ある例では、第1の帯域幅パートによってサービスされるすべてのUEは、SRS帯域幅構成0で構成することができ、第2の帯域幅パートによってサービスされるすべてのUEは、SRS帯域幅構成1で構成することができる。他の例では、異なるSRS帯域幅構成が、帯域幅パートによってサービスされる異なるUE用に構成され得る。ある例では、第1の帯域幅パートによってサービスされる第1のUEは、SRS帯域幅構成0で構成することができ、第1の帯域幅パートによってサービスされる第2のUEは、SRS帯域幅構成1で構成することができる。各帯域幅パート用に構成されたSRS帯域幅構成は、コンポーネントキャリア用に構成された帯域幅パートの数および/またはコンポーネントキャリアの帯域幅パートの帯域幅に少なくとも部分的に基づき得る。たとえば、異なるRAT(たとえば、3G、4G、NRワイヤレス通信システム)は、異なるアップリンクシステム帯域幅をサポートすることができ、異なるアップリンクシステム帯域幅に少なくとも部分的に基づいて、異なるSRS帯域幅構成が特定され得る。異なるRAT(たとえば、3G、4G、NRワイヤレス通信システム)が、互いに互換性があり得る異なるSRS帯域幅構成をサポートし得る。
【０１００】
ある例では、第1のRAT(たとえば、4Gワイヤレス通信システム)は、第1の複数のアップリンクシステム帯域幅(たとえば、15MHz、20MHz、30MHzおよび/または40MHz)をサポートし得る。第1の複数のSRS帯域幅構成が、第1のRATの第1のアップリンクシステム帯域幅の各々向けに構成され得る。たとえば、第1の複数のSRS帯域幅構成は、第1のRATの異なる第1のアップリンクシステム帯域幅をサポートするための、複数の帯域幅値を含み得る。第2のRAT(たとえば、NR/5Gワイヤレス通信システム)は、第2の複数のアップリンク帯域幅パート(たとえば、15MHz、20MHz、30MHz、40MHz、50MHz、80MHzおよび/または100MHz)をサポートし得る。第2の複数のSRS帯域幅構成が、第2のRATの第2のアップリンクシステム帯域幅パートの各々向けに構成され得る。たとえば、第2の複数のSRS帯域幅構成は、第2のRATの異なる第2のアップリンクシステム帯域幅をサポートするための、複数の帯域幅値を含み得る。ある例では、第1のRATと第2のRATとの間のシステム互換性を達成するために、第1のRATのSRS帯域幅構成が、第2のRATによってサポートされ得る。別の例では、第1のRATと第2のRATとの間のシステム互換性を達成するために、第2のRATのSRS帯域幅構成は、第1のRATのSRS帯域幅構成に少なくとも部分的に基づいて構成され得る。
【０１０１】
上述したように、第1のRATと第2のRATとの間のシステム互換性を達成するために、第1のRATのSRS帯域幅構成が、第2のRATによってサポートされ得る。以下で示すように、第1のRAT(たとえば、4Gワイヤレス通信システム)は、第1の複数のアップリンクシステム帯域幅をサポートするために、第1のRATの異なるSRS帯域幅構成についての第1の複数の帯域幅値を含み得る。第1のRAT用のSRS帯域幅構成は、第1の複数の帯域幅値の異なるセットを含み得る。
【０１０２】
【数６】
0006936386.tif 000009
:4,8,12,16,20,24,32,36。たとえば、ほぼ15MHzのアップリンクシステム帯域幅(たとえば、6つのRBから40個のRBの間に広がる)が、4、8、12、16、20、24、32および36からなる、可能帯域幅値のセットを含み得る。
【０１０３】
【数７】
0006936386.tif 000010
:4,8,12,16,20,24,32,36,40,48。たとえば、ほぼ20MHzのアップリンクシステム帯域幅(たとえば、40個のRBから60個のRBの間に広がる)が、4、8、12、16、20、24、32、36、40および48からなる、可能帯域幅値のセットを含み得る。
【０１０４】
【数８】
0006936386.tif 000011
:4,8,12,16,20,24,32,36,40,48,60,64,72。たとえば、ほぼ30MHzのアップリンクシステム帯域幅(たとえば、60個のRBから80個のRBの間に広がる)が、4、8、12、16、20、24、32、36、40、48、60、64および72からなる、可能帯域幅値のセットを含み得る。
【０１０５】
【数９】
0006936386.tif 000012
:4,8,12,16,20,24,32,40,48,60,64,72,80,96。たとえば、ほぼ40MHzのアップリンクシステム帯域幅(たとえば、80個のRBから110個のRBの間に広がる)が、4、8、12、16、20、24、32、40、48、60、64、72、80および96からなる、可能帯域幅値のセットを含み得る。
【０１０６】
上で示したように、第1のRATは、ほぼ40MHzのアップリンクシステム帯域幅(たとえば、110個のPRB)をサポートし得る。ある例では、以下で示すように、第2のRAT(たとえば、NR/5Gワイヤレス通信システム)は、異なるアップリンクシステム帯域幅をサポートするために、第2のRATの異なるSRS帯域幅構成についての可能帯域幅値の第2のセットを含み得る。第2の複数のSRS帯域幅構成は、第2の複数の帯域幅値を含み得る。
【０１０７】
【数１０】
0006936386.tif 000013
:4,8,12,16,20,24,32,36
【０１０８】
【数１１】
0006936386.tif 000014
:4,8,12,16,20,24,32,36,40,48
【０１０９】
【数１２】
0006936386.tif 000015
:4,8,12,16,20,24,32,36,40,48,60,64,72
【０１１０】
【数１３】
0006936386.tif 000016
:4,8,12,16,20,24,32,36,40,48,60,64,72,80,96
【０１１１】
【数１４】
0006936386.tif 000017
:4,8,12,16,20,24,32,36,40,48,60,64,72,80,96,120,128,136
【０１１２】
【数１５】
0006936386.tif 000018
:4,8,12,16,20,24,32,36,40,48,60,64,72,80,96,120,128,136,144,160,192
【０１１３】
【数１６】
0006936386.tif 000019
:4,8,12,16,20,24,32,36,40,48,60,64,72,80,96,120,128,136,144,160,192,240,256,272
【０１１４】
上で示したように、第2のRAT(たとえば、NR/5Gワイヤレス通信システム)は、ほぼ100MHzのアップリンクシステム帯域幅パートをサポートし得る。システム互換性を達成するために、第2のRAT(たとえば、NR/5Gワイヤレス通信システム)は、第1のRAT(たとえば、4Gワイヤレス通信システム)と第2のRAT(たとえば、NR/5Gワイヤレス通信システム)の両方によってサポートされるシステム帯域幅用に、第1のRAT(たとえば、4Gワイヤレス通信システム)のSRS帯域幅構成を採用すればよい。
【０１１５】
上で示したように、第2のRAT(たとえば、NR/5Gワイヤレス通信システム)は、第1のRAT(たとえば、4Gワイヤレス通信システム)によってサポートされない場合があるシステム帯域幅をサポートし得る。第2のRATのSRS帯域幅構成は、第2のRAT(たとえば、NR/5Gワイヤレス通信システム)のシステム帯域幅をサポートするために、1つまたは複数の帯域幅値を含んでよく、第1のRAT(たとえば、4Gワイヤレス通信システム)によってサポートされなくてよい。たとえば、第2のRATのSRS帯域幅構成の帯域幅値は、システム互換性を達成するために、第1のRAT(たとえば、4Gワイヤレス通信システム)のSRS帯域幅構成の帯域幅値に少なくとも部分的に基づいて構成され得る。たとえば、第2のRAT(たとえば、NR/5Gワイヤレス通信システム)のSRS帯域幅構成は、第1のRAT(たとえば、4Gワイヤレス通信システム)のSRS帯域幅構成の帯域幅値に少なくとも部分的に基づく複数の帯域幅値を含み得る。ある例では、第2のRAT(たとえば、NR/5Gワイヤレス通信システム)のSRS帯域幅構成の複数の帯域幅値は、第1のRAT(たとえば、4Gワイヤレス通信システム)のSRS帯域幅構成の複数の帯域幅値の整数倍(たとえば、2〜8)または整数乗(たとえば、2n)であってよい。
【０１１６】
上で示した、第1のRAT(たとえば、4Gワイヤレス通信システム)および第2のRAT(たとえば、NR/5Gワイヤレス通信システム)の例示的SRS帯域幅構成では、ほぼ50MHz、80MHzおよび/または100MHzのシステム帯域幅が、第2のRAT(たとえば、NR/5Gワイヤレス通信システム)によってサポートされ、第1のRAT(たとえば、4Gワイヤレス通信システム)によってサポートされない。ただし、システム互換性を達成するために、システム帯域幅用のSRS帯域幅構成は、第2のRAT(たとえば、NR/5Gワイヤレス通信システム)によってサポートされ、第1のRAT(たとえば、4Gワイヤレス通信システム)によってサポートされず、第1のRAT(たとえば、4Gワイヤレス通信システム)からの帯域幅値および/または第1のRAT(たとえば、4Gワイヤレス通信システム)の帯域幅値の整数倍もしくは整数乗(たとえば、2n)である帯域幅値を含み得る。ある例では、第2のRAT(たとえば、NR/5Gワイヤレス通信システム)によってサポートされ、第1のRAT(たとえば、4Gワイヤレス通信システム)によってサポートされない、80MHzのシステム帯域幅向けに、SRS帯域幅構成は、第1のRAT(たとえば、4Gワイヤレス通信システム)によってサポートされる複数の帯域幅値(たとえば、4、8、12、16、20、24、32、40、48、60、64、72、80および/または96)を含み得る。また、SRS帯域幅構成は、第1のRAT(たとえば、4Gワイヤレス通信システム)によってサポートされる複数の帯域幅値(たとえば、4、8、12、16、20、24、32、40、48、60、64、72、80および/または96)の整数倍または整数乗(たとえば、2n)である帯域幅値(たとえば、120、128、144、160、および/または192)を含み得る。たとえば、第2のRAT(たとえば、NR/5Gワイヤレス通信システム)の帯域幅値128は、第1のRAT(たとえば、4Gワイヤレス通信システム)の帯域幅値64の2または21という累乗の倍数である。別の例では、第2のRAT(たとえば、NR/5Gワイヤレス通信システム)の帯域幅値128は、第1のRAT(たとえば、4Gワイヤレス通信システム)の帯域幅値32の4または22という累乗の倍数である。他の例では、第2のRAT(たとえば、NR/5Gワイヤレス通信システム)の帯域幅値128は、第1のRAT(たとえば、4Gワイヤレス通信システム)の帯域幅値16の8または23という累乗の倍数である。
【０１１７】
第2のRAT(たとえば、NR/5Gワイヤレス通信システム)のSRS帯域幅構成は、第1のRAT(たとえば、4Gワイヤレス通信システム)のSRS帯域幅構成の帯域幅値の整数倍でない場合がある帯域幅値を含み得る。たとえば、第2のRAT(たとえば、NR/5Gワイヤレス通信システム)の帯域幅パートは、コンポーネントキャリア用に構成された帯域幅パートの数に少なくとも部分的に基づく帯域幅および/またはコンポーネントキャリアの帯域幅パートの帯域幅を有し得る。ある例では、第2のRAT(たとえば、NR/5Gワイヤレス通信システム)は、100MHzのシステム帯域幅で構成され得る。上で示したように、第2のRAT(たとえば、NR/5Gワイヤレス通信システム)の100MHzシステム帯域幅用のSRS帯域幅構成は、272という帯域幅値を含み得る。第2のRATの、272という帯域幅値は、第1のRAT(たとえば、4Gワイヤレス通信システム)用のSRS帯域幅構成の帯域幅値の整数倍または整数乗ではない。帯域幅値の他の例(たとえば、260、264、および/または268)が、広帯域コンポーネントキャリア(たとえば、100MHzの帯域幅)用に使われてよい。
【０１１８】
UEによる周波数ホッピング動作をサポートするために、SRS帯域幅構成の帯域幅値は、SRS帯域幅構成の最大帯域幅値よりも小さい整数(たとえば、2または4)のほぼ倍数または累乗となるように選択され得る。上の例から続けると、第2のRAT(たとえば、NR/5Gワイヤレス通信システム)のSRS帯域幅構成は、UEによる周波数ホッピングをサポートするために、272という最大帯域幅値の半分(たとえば、2倍小さいか、または周波数ホッピングのための2つの帯域幅パート)である、136という帯域幅値を含み得る。272という最大帯域幅値を有するSRS帯域幅構成用には、272という最大帯域幅値の4分の1(たとえば、4倍小さいか、または周波数ホッピングのための4つの帯域幅パート)は、68という帯域幅値になるはずである。ただし、68という帯域幅値は、第1のRAT(たとえば、4Gワイヤレス通信システム)のSRS帯域幅構成によってサポートされない。
【０１１９】
部分帯域用の周波数ホッピングを達成するために、第1のRAT(たとえば、4Gワイヤレス通信システム)からの2つのほぼ等しい帯域幅値が、第2のRAT(たとえば、NR/5Gワイヤレス通信システム)のSRS帯域幅構成用に構成されてよい。上で論じた例から続けると、SRS帯域幅構成は、272という最大帯域幅値を有する場合があり、272という最大帯域幅値の4分の1(たとえば、4倍小さいか、または周波数ホッピングのための4つの帯域幅パート)は、68という帯域幅値になるはずである。ただし、68という帯域幅値は、第1のRAT(たとえば、4Gワイヤレス通信システム)のSRS帯域幅構成の帯域幅値によってサポートされない。この場合、帯域幅値68に最も近い、第1のRAT(たとえば、4Gワイヤレス通信システム)の2つのほぼ等しい帯域幅値(たとえば、帯域幅値64および72)が、帯域幅パートの各々向けに構成されてよい。ある例では、2つのほぼ等しい帯域幅値が、第2のRAT(たとえば、NR/5Gワイヤレス通信システム)の帯域幅パートのSRS帯域幅構成用に構成されるとき、2つのほぼ等しい帯域幅値は、コンポーネントキャリア内の帯域幅パートの整合に少なくとも部分的に基づいて、各帯域幅パート用に構成されてよい。ある例では、第1の帯域幅パートは、72という帯域幅値を有するSRS帯域幅構成で構成されてよく、第2の帯域幅パートは、帯域幅値64を有するSRS帯域幅構成で構成されてよく、第3の帯域幅パートは、72という帯域幅値を有するSRS帯域幅構成で構成されてよく、第4の帯域幅パートは、64という帯域幅値を有するSRS帯域幅構成で構成されてよい。別の例では、第1の帯域幅パートは、64という帯域幅値を有するSRS帯域幅構成で構成されてよく、第2の帯域幅パートは、72という帯域幅値を有するSRS帯域幅構成で構成されてよく、第3の帯域幅パートは、64という帯域幅値を有するSRS帯域幅構成で構成されてよく、第4の帯域幅パートは、72という帯域幅値を有するSRS帯域幅構成で構成されてよい。
【０１２０】
Table 3〜5(表3〜5)において以下で示すように、SRS帯域幅構成についての様々な帯域幅値の例が、第2のRAT(たとえば、NR/5Gワイヤレス通信システム)における異なる帯域幅パートの構成用に構成され得る。帯域幅値は、異なる帯域幅パートの構成用に、整数(たとえば、2)倍または整数乗として構成され得る。
【０１２１】
【表３】
0006936386.tif 000020
【０１２２】
【表４】
0006936386.tif 000021
【０１２３】
【表５】
0006936386.tif 000022
【０１２４】
図9は、本開示の様々な態様による、帯域幅パートに対する帯域幅オフセットの例900を示す図である。図9に示すように、帯域幅パート1(BWP1)910が、UEにサービスするように構成され得る。BWP1 910は、200個のリソースブロック(たとえば、物理リソースブロック(PRB))を有する帯域幅に広がり得る。200個のPRBからなる帯域幅に広がるBWP1 910用に、192個のPRBが、UEによるSRS送信のために利用可能であり得る。図9に示すように、BWP1 910の2つの端部からのいくつかのリソースブロック(たとえば、4つのPRB)が、チャネル情報(たとえば、PUCCH)を送信するように構成されてよく、SRS送信用には構成されなくてよい。
【０１２５】
やはり図9に示すように、第2のBWP(BWP2)920および第3のBWP(BWP3)930が、BWP1 910の一部分に広がり得る。示すように、BWP2 920およびBWP3 930の各々は、100個のリソースブロック(たとえば、PRB)に広がり得る。上述したように、いくつかのリソースブロック(たとえば、4つのPRB)は、SRS送信用に構成されなくてよく、したがって、帯域幅オフセット値が、BWP1 910、BWP2 920およびBWP3 930によってサービスされるUEの動作を整合させるために、帯域幅パートの各々向けに構成されてよい。たとえば、BWP2 920およびBWP3 930によってサービスされるUEの動作をBWP1 910と整合させるために、BWP2 920およびBWP3 930は、各々がSRS送信用の96個のリソースブロック(たとえば、PRB)で構成され得る。図9に示すように、異なる帯域幅パートが、SRS送信用の異なる開始点を有し得る。たとえば、BWP2 920は、(たとえば、BWP2 920内のオフセットされた4つのPRBにより)リソースブロック5において開始するSRS送信用に構成され得るが、リソースブロック1〜4(たとえば、BWP2 920内の4つのPRB)は、BWP1 910によってサービスされるUEによる動作と整合するために、SRS送信用に構成されない。BWP3 930は、リソースブロック1(たとえば、BWP3 930内の0個のPRB)において開始するSRS送信用に構成され得るが、リソースブロック97〜100(たとえば、BWP3 930内の4つのPRB)は、BWP1 910によってサービスされるUEによる動作と整合するために、SRS送信用に構成されない。示すように、各帯域幅パートは、SRS送信用の帯域幅パート内のスタート点をUEに知らせるために、異なる帯域幅オフセット値を有して構成され得る。たとえば、帯域幅オフセット値は、UEによるSRS送信を開始するための、帯域幅パートのエッジからのオフセットリソースブロック(たとえば、PRB)の数を示し得る。上記例によると、BWP2 920は、4という帯域幅オフセット値を有して構成されてよいが、BWP3 930は、0という帯域幅オフセット値を有して構成されてよい。
【０１２６】
図10は、本開示の様々な態様による、帯域幅パートに対する帯域幅オフセットの例1000を示す図である。図10に示すように、第1の帯域幅パート(BWP1)1010は、200個のリソースブロック(PRB)を有する帯域幅に広がってよく、第2の帯域幅パート(BWP2)1020および第3の帯域幅パート(BWP3)1030は、第1の帯域幅パート(BWP1)1010の一部分に広がってよく、第4の帯域幅パート(BWP4)1040および第5の帯域幅パート(BWP5)1050は、第2の帯域幅パート(BWP2)1020の一部分に広がってよく、第6の帯域幅パート(BWP6)1060および第7の帯域幅パート(BWP7)1070は、第3の帯域幅パート(BPW3)1030の一部分に広がる。図9の上の記述と同様、図10に示す帯域幅パートの各々は、SRS送信のための開始点をUEに示すための、帯域幅パートの各々内の帯域幅オフセット値を有して構成され得る。たとえば、BWP2 1020は、リソースブロック5(たとえば、BWP2 920内のオフセットされた4つのPRB)において開始するSRS送信用に構成され得るが、リソースブロック1〜4(たとえば、BWP2 920内の4つのPRB)は、BWP1 910によってサービスされるUEによる動作と整合するために、SRS送信用に構成されない。BWP3 1030は、リソースブロック1(たとえば、BWP3 930内の0個のPRB)において開始するSRS送信用に構成され得るが、リソースブロック97〜100(たとえば、BWP3 930内の4つのPRB)は、BWP1 910によってサービスされるUEによる動作と整合するために、SRS送信用に構成されない。
【０１２７】
図10に示すように、第4の帯域幅パート(BWP4)1040、第5の帯域幅パート(BWP5)1050、第6の帯域幅パート(BWP6)1060および第7の帯域幅パート(BWP7)1070は、50個のリソースブロック(たとえば、PRB)に広がる帯域幅を有するように構成され得る。帯域幅パートの各々(たとえば、第4の帯域幅パート(BWP4)1040、第5の帯域幅パート(BWP5)1050、第6の帯域幅パート(BWP6)1060および第7の帯域幅パート(BWP7)1070)は、異なる帯域幅パート(たとえば、第1の帯域幅パート(BWP1)1010、第2の帯域幅パート(BWP2)1020および第3の帯域幅パート(BWP3)1030)によってサービスされるUEの動作と整合するために、異なる帯域幅オフセット値を有するように構成され得る。ある例では、第4の帯域幅パート(BWP4)1040は、リソースブロック5(たとえば、BWP4 1040内のオフセットされた4つのPRB)において開始するSRS送信用に構成されてよいが、リソースブロック1〜4(たとえば、BWP4 1040内の4つのPRB)は、第1の帯域幅パート(BWP1)1010および/または第2の帯域幅パート(BWP2)1020によってサービスされるUEの動作と整合するために、SRS送信用に構成されない。BWP5 1050は、リソースブロック3(たとえば、BWP5 1050内のオフセットされた2つのPRB)において開始するSRS送信用に構成されてよいが、リソースブロック1〜2(たとえば、BWP5 1050内の2つのPRB)は、第1の帯域幅パート(BWP1)1010および/または第2の帯域幅パート(BWP2)1020によってサービスされるUEの動作と整合するために、SRS送信用に構成されない。BWP6 1060は、第1の帯域幅パート(BWP1)1010、第2の帯域幅パート(BWP2)1020および/または第3の帯域幅パート(BWP3)1030によってサービスされるUEによって動作と整合するために、リソースブロック1(たとえば、BWP6 1050内の0個のPRBオフセット)において開始するSRS送信用に構成され得る。ある例では、SRS送信は、4連続リソースブロック(たとえば、PRB)粒度を有するように構成されてよく、したがって、第3の帯域
幅パート(BWP3)1030によってサービスされるUEの動作を、第7の帯域幅パート(BWP7)1070によってサービスされるUEと整合するために、BWP7 1070は、リソースブロック3(たとえば、BWP7 1070内のオフセットされた2つのPRB)において開始するSRS送信用に構成されてよい。また、第7の帯域幅パート(BWP7)1070のリソースブロック47〜50(たとえば、BWP7 1070内の4つのPRB)は、第1の帯域幅パート(BWP1)1010および/または第3の帯域幅パート(BWP3)1030によってサービスされるUEと整合するために、SRS送信用に構成されない。
【０１２８】
SRS帯域幅構成の異なる帯域幅値が、帯域幅オフセット値ならびに/または異なる帯域幅パート(たとえば、第1の帯域幅パート(BWP1)1010、第2の帯域幅パート(BWP2)1020および第3の帯域幅パート(BWP3)1030)によってサービスされるUEの動作の整合に少なくとも部分的に基づいて、帯域幅パートの各々(たとえば、第4の帯域幅パート(BWP4)1040、第5の帯域幅パート(BWP5)1050、第6の帯域幅パート(BWP6)1060および第7の帯域幅パート(BWP7)1070)向けに構成され得る。ある例では、第4の帯域幅パート(BWP4)1040が、50個のリソースブロック(たとえば、PRB)に広がる帯域幅を有し得るので、帯域幅パート(BWP4)1040用に構成され得るSRS帯域幅構成についての最大帯域幅値は、帯域幅値48(たとえば、48個のPRB)であり得る。ただし、第4の帯域幅パート(BWP4)1040は、4という帯域幅オフセット値(たとえば、第4の帯域幅パート(BWP4) 1040内のオフセットされた4つのPRB)で構成されてよく、したがって、SRS送信に利用可能であり得る帯域幅値の最大数は44である。44という帯域幅値は、SRS帯域幅構成の可能帯域幅値に含まれない場合があり、SRS帯域幅構成の可能帯域幅値の一部である次の利用可能帯域幅値は、40という帯域幅値であってよい。したがって、帯域幅パート(BWP4)1040は、40という最大帯域幅値を有するSRS帯域幅構成で構成されてよい。別の例では、第5の帯域幅パート(BWP5)1050は、2という帯域幅オフセット値(たとえば、第5の帯域幅パート(BWP5)1050内のオフセットされた2つのPRB)で構成されてよく、48という帯域幅値を有するSRS帯域幅構成は、第5の帯域幅パート(BWP5)1050用に構成されてよい。ある例では、第6の帯域幅パート(BWP6)1060は、0という帯域幅オフセット値(たとえば、第6の帯域幅パート(BWP6)1060内のオフセットされた0個のPRB)で構成されてよく、48という帯域幅値を有するSRS帯域幅構成は、第6の帯域幅パート(BWP6)1060用に構成されてよい。別の例では、第7の帯域幅パート(BWP7)1070は、第7の帯域幅パート(BWP7)1070のエッジにおいて、2
という帯域幅オフセット値(たとえば、第7の帯域幅パート(BWP7)1070内のオフセットされた2つのPRB)および4PRB(たとえば、第7の帯域幅パート(BWP7)1070の47〜50個のPRB)オフセットで構成されてよく、40という帯域幅値を有するSRS帯域幅構成は、第7の帯域幅パート(BWP7)1070用に構成されてよい。
【０１２９】
図11は、本開示の様々な態様による、帯域幅パートにおけるSRS送信の管理の例1100を示す図である。図11に示すように、UE1104は、基地局1102と通信し得る。いくつかの態様では、UE1104は、UE104など、本明細書の他の箇所で説明する1つまたは複数のUEに対応し得る。追加または代替として、基地局1102は、基地局102など、本明細書の他の箇所で説明する1つまたは複数の基地局に対応し得る。
【０１３０】
参照番号1115によって示すように、基地局1102は、UE1104にサービスするために割り振られるべき、セルのコンポーネントキャリアの1つまたは複数の帯域幅パートを特定することができる。基地局1102は、UE1104にサービスするように構成された1つまたは複数の帯域幅パートを、UE1104に知らせればよい。いくつかの態様において、帯域幅パートの数は、基地局1102によって、UE1104にサービスするためのコンポーネントキャリア(本明細書では、CCと呼ばれることがある)ごとに構成され得る。たとえば、UE1104は、シングルCC上のいくつかの帯域幅パート(たとえば、シングル帯域幅パート、2つの非連続帯域幅パートなど)で構成され得る。追加または代替として、帯域幅パートの数は、UE1104によって使われるコンポーネントキャリアにわたって当てはまり得る。たとえば、UE1104は、すべてのコンポーネントキャリアにわたるいくつかの帯域幅パート(たとえば、すべてのコンポーネントキャリアにわたるシングル帯域幅パート、すべてのコンポーネントキャリアにわたる2つの帯域幅パートなど)で構成され得る。
【０１３１】
図5〜図10との関連で上述したように、帯域幅パートは、コンポーネントキャリアの帯域幅未満であってよく、UE1104は、SRS送信用の帯域幅パートを介した通信を構成してよい。別の例では、帯域幅パートはコンポーネントキャリアの全帯域幅に広がってよく、UE1104は、UE1104がコンポーネントキャリアの帯域幅全体を介して通信することができる(たとえば、情報を送信または受信する)全帯域幅構成と、UE1104がコンポーネントキャリアの帯域幅全体未満を介して通信することができる帯域幅パート構成との間を遷移することが可能であり得る。
【０１３２】
追加または代替として、基地局1102は、UE1104に割り振られた帯域幅パートの数および/またはCCの数を特定することができる。いくつかの態様において、基地局1102は、1つまたは複数の帯域幅パートに関連付けられた1つまたは複数の帯域幅パートパラメータを特定することができる。たとえば、1つまたは複数の帯域幅パートパラメータは、SRS帯域幅構成、帯域幅オフセット値および/または本明細書に記載する他の帯域幅パートパラメータを含み得る。基地局1102は、1つまたは複数の帯域幅パートパラメータをUE1104へ送信してよい。追加または代替として、UE1104と基地局1102は、1つまたは複数の帯域幅パートパラメータについて交渉することができる。
【０１３３】
たとえば、UE1104は、1つまたは複数の要求された帯域幅パートパラメータを基地局1102に対して示すことができ、基地局1102は、1つまたは複数の帯域幅パートの構成中に、UE1104によって使われるべき1つまたは複数の帯域幅パートパラメータを示すことができる。いくつかの態様において、基地局1102は、UE1104によって要求された帯域幅パートパラメータを確認することができる。いくつかの態様において、基地局1102は、UE1104によって要求された帯域幅パートパラメータをオーバーライドすることができる。帯域幅パートパラメータは、たとえば、SRS帯域幅構成、帯域幅オフセット値、帯域幅パート向けの帯域幅、コンポーネントキャリアごとの帯域幅パートの数、複数のコンポーネントキャリアにわたる帯域幅パートの数、帯域幅パート向けのヌメロロジーなどを含み得る。このように、帯域幅パートは柔軟に構成されてよい。
【０１３４】
参照番号1120によって示すように、基地局1102は、UE1104に割り振られた、1つまたは複数のコンポーネントキャリア上の1つまたは複数の帯域幅パートを特定することができる。基地局1102は、1つまたは複数の帯域幅パートの情報をUE1104へ送信してよい。一例として、および参照番号1125によって示すように、UE1104は、1つまたは複数の帯域幅パートの受信された帯域幅パートパラメータ(たとえば、SRS帯域幅構成および/または帯域幅オフセット値)に少なくとも部分的に基づいて、アップリンク通信(たとえば、SRS送信)用に1つまたは複数の帯域幅パートを構成することができる。この場合、UE1104は、構成された帯域幅パート上で、1つまたは複数の通信(たとえば、サウンディング基準信号(SRS)、アップリンク制御情報、アップリンクデータなど)を基地局1102へ送信してよい。いくつかの態様において、UE1104に割り振られた(たとえば、アップリンク通信用の)帯域幅パートの数は、UE1104用に構成されたアップリンク制御チャネルの数(たとえば、UE1104用に構成されたPUCCHの数、UE1104用のPUCCHグループの構成など)に少なくとも部分的に基づく。たとえば、UE1104が(たとえば、1次CC上の)シングルPUCCHで構成される場合、UE1104は、(たとえば、1次CC上で)アップリンク通信用にシングル帯域幅パートを構成すればよい。別の例として、UE1104が2つのPUCCH(たとえば、1次CC上で1つ、および1次2次CC上で1つ)で構成される場合、UE1104は、アップリンク通信用の2つの帯域幅パート(たとえば、1次CC上で1つ、および1次2次CC上で1つ)で構成されてよい。いくつかの態様において、UE1104は、サポートされるアップリンク制御チャネル(たとえば、シングルPUCCH、デュアルPUCCHなど)の数に関するUE能力をシグナリングすることができ、UE能力に少なくとも部分的に基づいて構成されるべき帯域幅パートの数を判断するように、基地局1102によって命令されてよく、かつ/または基地局1102と交渉することができる。
【０１３５】
追加または代替として、UE1104は、ダウンリンク通信用に1つまたは複数の帯域幅パートを構成してよい。この場合、UE1104は、構成された帯域幅パート上で、1つまたは複数の通信(たとえば、基準信号、ページ、ダウンリンク制御情報、ダウンリンクデータなど)を基地局1102から受信し得る。いくつかの態様において、UE1104に割り振られた(たとえば、ダウンリンク通信用の)帯域幅パートの数は、上述したように、UE1104用に構成されたアップリンク制御チャネルの数に少なくとも部分的に基づき得る。たとえば、UE1104がシングルPUCCHグループで構成される場合、UE1104は、ダウンリンク通信用にシングル帯域幅パートを構成すればよい。別の例として、UE1104が複数のPUCCHグループ(たとえば、2つのPUCCHグループ)で構成される場合、UE1104は、ダウンリンク通信用に、PUCCHグループごとに、最大1つの帯域幅パートで構成されてよい。
【０１３６】
上述したように、いくつかの態様において、UE1104は、基地局1102からの指示に少なくとも部分的に基づいて、1つまたは複数の帯域幅パートを構成することができる。たとえば、基地局1102は、SRSリソース、1つもしくは複数の帯域幅パートの各々のためのSRS帯域幅構成および/または帯域幅オフセット値を示すことができる。この場合、UE1104は、指示の受信または失敗した受信を確認するために、それぞれ、肯定応答(ACK)または否定応答(NACK)を送信すればよい。いくつかの態様において、UE1104は、ダウンリンクデータチャネル(たとえば、PDSCH)を介して、基地局1102から指示を受信し得る。この場合、UE1104は、ダウンリンクデータチャネルを介して受信された指示へのHARQ応答を使ってACKを送信すればよい。いくつかの態様において、UE1104は、ダウンリンクデータチャネルを介して、基地局1102から指示を受信しなくてよい。たとえば、UE1104は、ダウンリンク制御情報(DCI)により(たとえば、スケジューリング割当ておよび/または許可を搬送するDCI中の明示的指示により、スケジューリング割当ておよび/または許可を搬送しないDCI中の明示的指示により、DCIの存在によって示される暗黙的指示により、などして)、媒体アクセス制御(MAC)制御要素(CE)により、無線リソース制御(RRC)シグナリングにより、などして、基地局1102から指示を受信し得る。この場合、UE1104は、指示に対する明示的応答(たとえば、DCI、MAC CEなどに対する明示的応答)として明示的ACKを送信すればよい。いくつかの態様において、指示は、1つまたは複数の帯域幅パートのうちの少なくとも1つの、アクティブ化または非アクティブ化のうちの少なくとも1つである。このようにして、基地局1102は、UE1104が基地局1102による構成指示に従って構成されるべきであるかどうかを確認することができる。
【０１３７】
参照番号1130によって示すように、UE1104と基地局1102は、1つまたは複数のCCを使って通信することができ、これは、1つまたは複数のCC上に(たとえば、上述したように、アップリンクおよび/またはダウンリンク上に)構成された1つまたは複数の帯域幅パート上で通信することを含み得る。いくつかの態様において、UE1104は、1つまたは複数の帯域幅パートの各々のSRS帯域幅構成および/または帯域幅オフセット値に少なくとも部分的に基づいて、1つまたは複数の帯域幅パート上でSRS送信を構成することができる。UE1104は、UEに割り振られた1つまたは複数の帯域幅パート内でSRSを送信することができる。
【０１３８】
上記のように、図11は例として示されている。他の例が可能であり、図11に関して説明されたことと異なることがある。
【０１３９】
図12は、本開示の様々な態様による、帯域幅パートにおけるSRS送信を管理するための例示的UE104を示す図である。UE104の実装形態は、様々な構成要素を含むことができ、そのうちのいくつかについてはすでに上記で説明したが、1つまたは複数のバス1244を介して通信している、1つまたは複数のプロセッサ1212、メモリ1216、およびトランシーバ1202などの構成要素を含み、これらの構成要素は、本明細書で説明する機能のうちの1つまたは複数を可能にするためにモデム1240および通信構成要素1250と連携して動作し得る。さらに、1つまたは複数のプロセッサ1212、モデム1240、メモリ1216、トランシーバ1202、RFフロントエンド1288、および1つまたは複数のアンテナ1265は、1つまたは複数の無線アクセス技術において(同時にまたは非同時に)音声呼および/またはデータ呼をサポートするように構成され得る。
【０１４０】
ある態様では、1つまたは複数のプロセッサ1212は、1つまたは複数のモデムプロセッサを使用する1つまたは複数のモデム1240を含むことができる。通信構成要素1250に関係する様々な機能は、モデム1240および/またはプロセッサ1212内に含まれてよく、ある態様では、単一のプロセッサによって実行されてよく、他の態様では、機能のうちの異なる機能が2つ以上の異なるプロセッサの組合せによって実行されてよい。たとえば、ある態様では、1つまたは複数のプロセッサ1212は、モデムプロセッサ、またはベースバンドプロセッサ、またはデジタル信号プロセッサ、または送信機プロセッサ、または受信機プロセッサ、またはトランシーバ1202に関連するトランシーバプロセッサのうちの任意の1つまたは任意の組合せを含み得る。他の態様では、通信構成要素1250に関連する1つまたは複数のプロセッサ1212および/またはモデム1240の特徴のうちのいくつかは、トランシーバ1202によって実施され得る。
【０１４１】
また、メモリ1216は、本明細書で使用するデータおよび/もしくはアプリケーション1275のローカルバージョン、または通信構成要素1250および/もしくは少なくとも1つのプロセッサ1212によって実行されるその下位構成要素のうちの1つもしくは複数を記憶するように構成され得る。メモリ1216は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ1212によって使用可能な任意のタイプのコンピュータ可読媒体を含むことができる。ある態様では、たとえば、メモリ1216は、UE104が通信構成要素1250および/またはその下位構成要素のうちの1つまたは複数を実行するために少なくとも1つのプロセッサ1212を動作させているとき、通信構成要素1250および/またはその下位構成要素のうちの1つまたは複数を定義する1つまたは複数のコンピュータ実行可能コード、および/またはそれに関連するデータを記憶した非一時的コンピュータ可読記憶媒体であってよい。
【０１４２】
トランシーバ1202は、少なくとも1つの受信機1206および少なくとも1つの送信機1208を含み得る。受信機1206は、データを受信するためにプロセッサによって実行可能なハードウェア、ファームウェア、および/またはソフトウェアコードを含むことができ、コードは命令を含み、メモリ(たとえば、コンピュータ可読媒体)に記憶される。受信機1206は、たとえば、無線周波数(RF)受信機であり得る。ある態様では、受信機1206は、(図1に示すような)少なくとも1つの基地局102によって送信された信号を受信し得る。加えて、受信機1206は、そのような受信信号を処理することができ、限定はしないが、Ec/Io、SNR、RSRP、RSSIなどの、信号の測定値を取得することができる。送信機1208は、データを送信するためにプロセッサによって実行可能なハードウェア、ファームウェア、および/またはソフトウェアコードを含むことができ、コードは命令を含み、メモリ(たとえば、コンピュータ可読媒体)に記憶される。送信機1208の適切な例は、限定はしないが、RF送信機を含み得る。
【０１４３】
その上、ある態様では、UE104は、1つまたは複数のアンテナ1265と通信して動作し得るRFフロントエンド1288と、無線送信、たとえば、(図1に示すような)少なくとも1つの基地局102によって送信されたワイヤレス通信またはUE104によって送信されたワイヤレス送信を受信および送信するためのトランシーバ1202とを含み得る。RFフロントエンド1288は、1つまたは複数のアンテナ1265に接続されてよく、RF信号を送信および受信するために、1つまたは複数の低雑音増幅器(LNA)1290、1つまたは複数のスイッチ1292、1つまたは複数の電力増幅器(PA)1298、および1つまたは複数のフィルタ1296を含むことができる。
【０１４４】
ある態様では、LNA1290は、所望の出力レベルで受信信号を増幅することができる。ある態様では、各LNA1290は、指定された最小および最大の利得値を有し得る。ある態様では、RFフロントエンド1288は、アプリケーションの所望の利得値に基づいてLNA1290およびその指定された利得値を選択するために、1つまたは複数のスイッチ1292を使うことができる。
【０１４５】
さらに、RF出力の信号を所望の出力電力レベルで増幅するために、たとえば、1つまたは複数のPA1298がRFフロントエンド1288によって使用され得る。ある態様では、各PA1298は、最小および最大の利得値を有し得る。ある態様では、RFフロントエンド1288は、アプリケーションの所望の利得値に基づいてPA1298およびその指定された利得値を選択するために、1つまたは複数のスイッチ1292を使うことができる。
【０１４６】
また、たとえば、1つまたは複数のフィルタ1296は、受信信号をフィルタ処理して入力RF信号を取得するために、RFフロントエンド1288によって使用され得る。同様に、ある態様では、たとえば、送信用の出力信号を生成するためにそれぞれのPA1298からの出力をフィルタリングするために、それぞれのフィルタ1296が使用され得る。ある態様では、各フィルタ1296は、特定のLNA1290および/またはPA1298に接続され得る。ある態様では、RFフロントエンド1288は、トランシーバ1202および/またはプロセッサ1212によって指定された構成に基づいて、指定されたフィルタ1296、LNA1290、および/またはPA1298を使って送信経路または受信経路を選択するために、1つまたは複数のスイッチ1292を使うことができる。
【０１４７】
したがって、トランシーバ1202は、RFフロントエンド1288を介して1つまたは複数のアンテナ1265を通してワイヤレス信号を送信および受信するように構成され得る。ある態様では、UE104が、たとえば、1つもしくは複数の基地局105、または(図1に示すような)1つもしくは複数の基地局102に関連付けられた1つもしくは複数のセルと通信することができるように、トランシーバは、指定された周波数で動作するように同調され得る。ある態様では、たとえば、モデム1240は、UE104のUE構成、およびモデム1240により使用される通信プロトコルに基づき、トランシーバ1202を指定された周波数および電力レベルで動作するように構成することができる。
【０１４８】
ある態様では、モデム1240は、デジタルデータがトランシーバ1202を使って送られ、かつ受信されるように、デジタルデータを処理するとともにトランシーバ1202と通信することができるマルチバンドマルチモードモデムであり得る。ある態様では、モデム1240はマルチバンドであってよく、特定の通信プロトコルのために複数の周波数帯域をサポートするように構成され得る。ある態様では、モデム1240はマルチモードであってよく、複数の動作ネットワークおよび通信プロトコルをサポートするように構成され得る。ある態様では、モデム1240は、指定されたモデム構成に基づいてネットワークからの信号の送信および/または受信を可能にするために、UE104の1つまたは複数の構成要素(たとえば、RFフロントエンド1288、トランシーバ1202)を制御することができる。ある態様では、モデム構成は、モデム1240のモードおよび使用中の周波数帯域に基づき得る。別の態様では、モデム構成は、セル選択および/またはセル再選択中にネットワークによって提供される、UE104に関連付けられたUE構成情報に基づき得る。
【０１４９】
UE104の通信構成要素1250は、広帯域CC、たとえばシステム帯域幅がシグナリングを交換するようにいかにして構成され得るかを、UE104および基地局102が決定することを可能にする、帯域幅パート決定器1252を含み得る。
【０１５０】
たとえば、一実装形態では、帯域幅パート決定器1252は、システム帯域幅の値(たとえば、100MHzなどの周波数範囲)と、基地局102によってサポートされる最小UE RF帯域幅能力(または基準能力)(たとえば、20MHzのチャネル帯域幅)と、UE104のRF帯域幅能力(たとえば、UE104がサポートすることができる最大チャネル帯域幅)とを考慮し、それにより通信を交換するためのチャネルまたはコンポーネントキャリアとして使用されることになるUE固有の帯域幅パートのセット(たとえば、システム帯域幅の1つまたは複数の部分)を決定するように構成される。したがって、異なるRF帯域幅能力を有する異なるUE104は、別様に構成されたUE固有の帯域幅パートのセットを有し得る。たとえば、帯域幅パート決定器1252は、UE104にサービスするために割り振られた1つまたは複数の帯域幅パートを特定することができる。
【０１５１】
さらに、帯域幅パートコントローラ1254は、シグナリングが各UE104に割り振られたUE固有の帯域幅パートのセットに基づくことを確実にするために、モデム1240および/またはUE104の他の構成要素とともに作動するように構成される。たとえば、帯域幅パートコントローラ1254は、1つまたは複数の帯域幅パートの各々のためのSRS帯域幅構成および/または帯域幅オフセット値に少なくとも部分的に基づいて、1つまたは複数の帯域幅パートを構成してよい。帯域幅パートコントローラ1254は、UE120による送信(たとえば、アップリンク送信およびダウンリンク送信)を制御することができる。ある例では、帯域幅パートコントローラ1254は、UEに割り振られた1つまたは複数の帯域幅パートを使って、UE104によるSRS送信を制御することができる。たとえば、帯域幅パートコントローラ1254は、UEに割り振られた1つまたは複数の帯域幅パートのSRS帯域幅構成および/または帯域幅オフセット値を特定することができる。
【０１５２】
さらなる代替では、UE104の通信構成要素1250は、UE固有の帯域幅パートのセットの他のシグナリングまたは構成を管理または制御するために、1つまたは複数の追加の構成要素を含み得る。そのような他の構成要素の例は、同期チャネルおよびシグナリングと、レートマッチングと、帯域幅パートアグリゲーションと、ランダムシーケンスの生成および使用と、UE固有の帯域幅パートのセットの構成およびそれらのセットとチャネル品質のチャネルおよびシグナリングとの相互運用性とのうちの1つまたは複数を管理する構成要素を含み得る。
【０１５３】
図13は、本開示の様々な態様による、帯域幅パートにおけるSRS送信を管理する例示的基地局1300を示す図である。基地局102の実装形態は、様々な構成要素を含むことができ、そのうちのいくつかについてはすでに上記で説明したが、1つまたは複数のバス1344を介して通信している、1つまたは複数のプロセッサ1312、メモリ1316、およびトランシーバ1302などの構成要素を含み、これらの構成要素は、本明細書で説明する機能のうちの1つまたは複数を可能にするためにモデム1370および通信構成要素1380と連携して動作し得る。
【０１５４】
トランシーバ1302、受信機1306、送信機1308、1つまたは複数のプロセッサ1312、メモリ1316、アプリケーション1375、バス1344、RFフロントエンド1388、LNA1390、スイッチ1392、フィルタ1396、PA1398、および1つまたは複数のアンテナ1365は、上記で説明したように、UE104の対応する構成要素と同じまたは同様であってよいが、UE動作に対立するものとして基地局動作のために構成されるか、または他の方法でプログラムされることがある。
【０１５５】
基地局102の通信構成要素1380は、広帯域CC、たとえばシステム帯域幅がシグナリングを交換するようにいかにして構成され得るかを、基地局102が決定することを可能にする、帯域幅パート決定器1382を含み得る。
【０１５６】
たとえば、一実装形態では、帯域幅パート決定器1382は、システム帯域幅の値(たとえば、100MHzなどの周波数範囲)と、基地局102によってサポートされる最小UE RF帯域幅能力(または基準能力)(たとえば、20MHzのチャネル帯域幅)と、UE104のRF帯域幅能力(たとえば、UE104がサポートすることができる最大チャネル帯域幅)とを考慮し、それにより通信を交換するためのチャネルまたはコンポーネントキャリアとして使用されることになるUE固有の帯域幅パートのセット(たとえば、システム帯域幅の1つまたは複数の部分)を決定するように構成される。帯域幅パート決定器1382は、UE104に割り振られるべき1つまたは複数の帯域幅パートを特定することができる。したがって、異なるRF帯域幅能力を有する異なるUE104は、別様に構成された異なるUE固有の帯域幅パートのセットを有し得る。
【０１５７】
さらに、帯域幅パートコントローラ1384は、シグナリングが各UE104に割り振られたUE固有の帯域幅パートのセットに基づくことを確実にするために、モデム1370および/または基地局102の他の構成要素とともに作動するように構成される。たとえば、帯域幅パートコントローラ1384は、UE104に割り振られた1つまたは複数の帯域幅パートの各々に関連付けられたSRS帯域幅構成および/または帯域幅オフセット値を特定することができる。
【０１５８】
さらなる代替では、基地局102の通信構成要素1380は、UE固有の帯域幅パートのセットの他のシグナリングまたは構成を管理または制御するために、1つまたは複数の追加の構成要素を含み得る。そのような他の構成要素の例は、同期チャネルおよびシグナリングと、レートマッチングと、帯域幅パートアグリゲーションと、ランダムシーケンスの生成および使用と、UE固有の帯域幅パートのセットの構成およびそれらのセットとチャネル品質のチャネルおよびシグナリングとの相互運用性とのうちの1つまたは複数を管理する構成要素を含み得る。
【０１５９】
図14は、本開示の様々な態様による、たとえばUEによって実施される例示的なプロセス1400を示す図である。例示的プロセス1400は、UE(たとえば、UE104、UE1104など)が1つまたは複数の帯域幅パート中でSRS送信を実施する例である。
【０１６０】
図14に示すように、いくつかの態様において、プロセス1400は、ユーザ機器に割り振られた、セルのコンポーネントキャリアの1つまたは複数の帯域幅パートを特定すること(ブロック1410)を含み得る。たとえば、UEは、図9〜図13との関連で上述したように、UEに割り振られた帯域幅パートの数を特定することができる。いくつかの態様において、帯域幅パートの数は、UEによって使われるコンポーネントキャリアごとに、またはUEによって使われる複数のコンポーネントキャリアにわたって当てはまる。ある例では、帯域幅パート決定器1252が、ユーザ機器に割り振られた、セルのコンポーネントキャリアの1つまたは複数の帯域幅パートを特定することができる。
【０１６１】
やはり図14に示すように、いくつかの態様において、プロセス1400は、1つまたは複数の帯域幅パートの各々についてのSRS帯域幅構成を受信すること(ブロック1420)を含み得る。たとえば、UEは、UEによって割り振られた1つまたは複数のコンポーネントキャリア上で、1つまたは複数の帯域幅パートの各々についてのSRS帯域幅構成を受信し得る。たとえば、SRS帯域幅構成は、UEによってSRSを送信するための複数の帯域幅値を含み得る。ある例では、複数の帯域幅値のうちの少なくとも1つは、第1のRATに関連付けられた第1の帯域幅値および第2のRATに関連付けられた第2の帯域幅値を含み得る。別の例では、UEは、UEによって割り振られた1つまたは複数の帯域幅パートの各々についての帯域幅オフセット値を受信し得る。ある例では、帯域幅パートコントローラ1254は、1つまたは複数の帯域幅パートの各々についてのSRS帯域幅構成を受信し得る。
【０１６２】
図14にさらに示すように、いくつかの態様において、プロセス1400は、SRS帯域幅構成に少なくとも部分的に基づいて、SRSを送信すること(ブロック1430)を含み得る。たとえば、UEは、SRS帯域幅構成に少なくとも部分的に基づいて、1つまたは複数の帯域幅パート上でSRS送信を構成することができる。代替または追加として、UEは、帯域幅オフセット値に少なくとも部分的に基づいて、1つまたは複数の帯域幅パート上でSRS送信を構成することができる。UEは、SRSを基地局へ送信し得る。ある例では、帯域幅パートコントローラ1254が、SRS帯域幅構成に少なくとも部分的に基づいてSRSを構成することができる。送信機1208は、SRSを送信し得る。
【０１６３】
いくつかの態様において、1つまたは複数の帯域幅パートは、ダウンリンク通信用に構成される。いくつかの態様において、1つまたは複数の帯域幅パートは、アップリンク通信用に構成される。いくつかの態様において、UEは、1つまたは複数の帯域幅パートに対応する1つまたは複数のヌメロロジーを判断することができる。いくつかの態様において、1つまたは複数の要求された帯域幅パートパラメータが基地局に対して示される。いくつかの態様において、1つもしくは複数の要求された帯域幅パートパラメータは、SRS帯域幅構成、帯域幅オフセット値、1つもしくは複数の帯域幅パートのうちのある帯域幅パートについての要求された帯域幅、コンポーネントキャリアごとの、もしくは複数のコンポーネントキャリアにわたる帯域幅パートの要求される数、1つもしくは複数の帯域幅パートのうちのある帯域幅パート向けの要求されたヌメロロジー、またはそれらの何らかの組合せのうちの少なくとも1つを含む。
【０１６４】
図14は、プロセス1400の例示的なブロックを示すが、いくつかの態様では、プロセス1400は、追加のブロック、より少ないブロック、図14に示すブロックとは異なるブロック、または異なるように配置されたブロックを含んでよい。追加または代替として、プロセス1400のブロックのうちの2つ以上が並行して実施されてよい。
【０１６５】
図15は、本開示の様々な態様による、たとえば基地局によって実施される別の例示的なプロセス1500を示す図である。例示的プロセス1500は、基地局(たとえば、BS110、BS1102など)が1つまたは複数の帯域幅パート上でSRS送信を実施する別の例である。
【０１６６】
図15に示すように、いくつかの態様において、プロセス1500は、UEに割り振られるべき、セルのコンポーネントキャリアの1つまたは複数の帯域幅パートを特定すること(ブロック1510)を含み得る。たとえば、基地局が、セルの1つまたは複数のコンポーネントキャリアを特定することができる。基地局は、セルの1つまたは複数のコンポーネントキャリアの各々のための1つまたは複数の帯域幅パートを特定することができる。基地局は、セルの1つまたは複数のコンポーネントキャリアの各々から、UEに割り振られるべき1つまたは複数の帯域幅パートを特定することができる。ある例では、帯域幅パート決定器1382が、UEに割り振られるべき、セルのコンポーネントキャリアの1つまたは複数の帯域幅パートを特定することができる。
【０１６７】
やはり図15に示すように、いくつかの態様において、プロセス1500は、1つまたは複数の帯域幅パートの各々についてのSRS帯域幅構成を特定すること(ブロック1520)を含み得る。たとえば、基地局が、セルの1つまたは複数のコンポーネントキャリアの1つまたは複数の帯域幅パートの各々のためのSRS帯域幅構成を特定することができる。SRS帯域幅構成は、少なくとも1つの帯域幅値を含むことができ、複数の帯域幅値の少なくとも1つのセットは、第1の無線アクセス技術(RAT)の第1の帯域幅値および第2の無線アクセス技術(RAT)の第2の帯域幅値を含む。別の例では、基地局が、セルの1つまたは複数のコンポーネントキャリアの1つまたは複数の帯域幅パートの各々についての帯域幅オフセット値を特定することができる。ある例では、帯域幅パートコントローラ1384が、1つまたは複数の帯域幅パートの各々についてのSRS帯域幅構成を特定し得る。
【０１６８】
図15にさらに示すように、いくつかの態様では、プロセス1500は、SRS帯域幅構成をUEへ送信すること(ブロック1530)を含み得る。たとえば、基地局が、1つまたは複数の帯域幅パートの各々のためのSRS帯域幅構成をUEへ送信してよい。別の例では、基地局は、1つまたは複数の帯域幅パートの各々についての帯域幅オフセット値をUEへ送信してよい。ある例では、送信機1308は、SRS帯域幅構成をUEへ送信してよい。
【０１６９】
いくつかの態様において、基地局は、全帯域幅構成に対応するヌメロロジーを判断することができる。いくつかの態様において、全帯域幅構成に対応するヌメロロジーは、データチャネルまたは制御チャネル上のスケジューリングと関連付けてシグナリングされる。いくつかの態様において、全帯域幅構成に対応する第1のヌメロロジーは、帯域幅パート構成に対応する第2のヌメロロジーとは異なる。
【０１７０】
図15は、プロセス1500の例示的なブロックを示すが、いくつかの態様では、プロセス1500は、追加のブロック、より少ないブロック、図15に示すブロックとは異なるブロック、または異なるように配置されたブロックを含んでよい。追加または代替として、プロセス1500のブロックのうちの2つ以上が並行して実施されてよい。
【０１７１】
上記の開示は例示および説明を提供するものであり、網羅的なものでも、または態様を開示された厳密な形態に限定するものでもない。上の開示を考慮して修正および変形が可能であり、各態様を実施することによってこのような修正および変形が実現されることがある。
【０１７２】
本明細書では、構成要素という用語は、ハードウェア、ファームウェア、またはハードウェアとソフトウェアの組合せとして、広く解釈されるものとする。本明細書で使用する「プロセッサ」は、ハードウェア、ファームウェア、またはハードウェアとソフトウェアの組合せとして実装される。
【０１７３】
本明細書では、いくつかの態様について閾値に関して説明する。本明細書で使用する「閾値を満たすこと」は、値が、閾値よりも大きいこと、閾値以上であること、閾値未満であること、閾値以下であること、閾値に等しいこと、閾値に等しくないことなどを指す場合がある。
【０１７４】
本明細書で説明するシステムおよび/または方法は、様々な形態のハードウェア、ファームウェア、またはハードウェアとソフトウェアの組合せで実装されてよいことが明らかである。これらのシステムおよび/または方法を実装するために使用される実際の専用の制御ハードウェアまたはソフトウェアコードは、態様を限定するものではない。したがって、本明細書では、システムおよび/または方法の動作と挙動について、具体的なソフトウェアコードを参照することなく説明した。ソフトウェアおよびハードウェアが、本明細書の説明に少なくとも部分的に基づいてシステムおよび/または方法を実装するように設計できることを理解されたい。
【０１７５】
特徴の特定の組合せが特許請求の範囲に記載され、かつ/または本明細書で開示されても、これらの組合せは、可能な態様の開示を限定するものではない。実際には、これらの特徴の多くは、特許請求の範囲に特に記載されず、ならびに/または本明細書で特に開示されないように組み合わされてもよい。以下に列挙される各従属請求項は、1つだけの請求項に直接依存することがあるが、可能な態様の開示は、各従属請求項と請求項のセットの中の他のあらゆる請求項との組合せを含む。項目のリスト「のうちの少なくとも1つ」を指す句は、単一のメンバーを含むそれらの項目の任意の組合せを指す。例として、「a、b、またはcのうちの少なくとも1つ」は、a、b、c、a-b、a-c、b-c、およびa-b-c、ならびに複数の同じ要素による任意の組合せ(たとえば、a-a、a-a-a、a-a-b、a-a-c、a-b-b、a-c-c、b-b、b-b-b、b-b-c、c-c、およびc-c-c、または、a、b、およびcの任意の他の順序)をカバーすることが意図される。
【０１７６】
本明細書で使用される要素、行為、または命令はいずれも、そのように明示的に説明されない限り、重要または不可欠であるものと見なされるべきではない。また、本明細書では、冠詞「a」および「an」は、1つまたは複数の項目を含むものとし、「1つまたは複数の」と交換可能に使用されることがある。さらに、本明細書で使用する「セット」および「グループ」という用語は、1つまたは複数の項目(たとえば、関連する項目、関連しない項目、関連する項目と関連しない項目の組合せなど)を含むものとし、「1つまたは複数の」と交換可能に使用されてもよい。1つだけの項目が意図される場合、「1つの」という用語または同様の言葉が使用される。また、本明細書では、「有する(has)」、「有する(have)」、「有する(having)」という用語は、非制限的な用語であるものとする。さらに、「に基づく」という語句は、別段明示的に述べられていない限り、「に少なくとも部分的に基づく」を意味するものとする。
【符号の説明】
【０１７７】
102  基地局、BS、ピコセル
102'  スモールセル
104  UE
110  地理的カバレージエリア、カバレージエリア
110'  カバレージエリア
120  通信リンク
132  バックホールリンク
134  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  gノードB(gNB)、mmW基地局
192  デバイス対デバイス(D2D)通信リンク
310  基地局
316  送信(TX)プロセッサ
318  RX  受信機
318  TX  送信機
320  アンテナ
350  UE
352  アンテナ
354  RX  受信機
354  TX  送信機
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
402  基地局
404  UE
1102  基地局
1104  UE
1202  トランシーバ
1206  受信機
1208  送信機
1212  プロセッサ
1216  メモリ
1240  モデム
1244  バス
1250  通信構成要素
1252  帯域幅パート決定器
1254  帯域幅パートコントローラ
1265  アンテナ
1275  アプリケーション
1288  RFフロントエンド
1290  低雑音増幅器(LNA)
1292  スイッチ
1296  フィルタ
1298  電力増幅器(PA)
1302  トランシーバ
1306  受信機
1308  送信機
1312  プロセッサ
1316  メモリ
1344  バス
1365  アンテナ
1370  モデム
1375  アプリケーション
1380  通信構成要素
1382  帯域幅パート決定器
1384  帯域幅パートコントローラ
1388  RFフロントエンド
1390  LNA
1392  スイッチ
1396  フィルタ
1398  PA
【図１】
0006936386.tif 000023
【図２Ａ】
0006936386.tif 000024
【図２Ｂ】
0006936386.tif 000025
【図２Ｃ】
0006936386.tif 000026
【図２Ｄ】
0006936386.tif 000027
【図３】
0006936386.tif 000028
【図４】
0006936386.tif 000029
【図５】
0006936386.tif 000030
【図６】
0006936386.tif 000031
【図７】
0006936386.tif 000032
【図８】
0006936386.tif 000033
【図９】
0006936386.tif 000034
【図１０】
0006936386.tif 000035
【図１１】
0006936386.tif 000036
【図１２】
0006936386.tif 000037
【図１３】
0006936386.tif 000038
【図１４】
0006936386.tif 000039
【図１５】
0006936386.tif 000040